(57)【特許請求の範囲】
【請求項１】
絶縁材料で形成される反応容器と、反応容器の外面に接する少なくとも一対の対向する電極とを具備して構成され、反応容器にプラズマ生成用ガスを供給すると共に電極の間に交流電界を印加することにより大気圧下で反応容器内にグロー状の放電を生じさせ、グロー状の放電により反応容器内にプラズマを生成するようにしたプラズマ処理装置において、反応容器の内面に沿った電気力線が形成されるように一対の電極を配置し、幅を持ったジェット状のプラズマを吹き出すための吹き出し口を反応容器の平坦な平面部分にスリット状に形成し、このスリット状の吹き出し口の開口面積を反応容器内部の断面積よりも小さく形成して成ることを特徴とするプラズマ処理装置。
【請求項２】
箱状の反応容器の下面に吹き出し口を形成して成ることを特徴とする請求項１に記載のプラズマ処理装置。
【請求項３】
一対の電極を上下に対向させて配置して成ることを特徴とする請求項１又は２に記載のプラズマ処理装置。
【請求項４】
反応容器を扁平筒状に形成し、反応容器の側壁の対向間隔を幅狭方向へ０．１〜５ｍｍに形成して成ることを特徴とする請求項１乃至３のいずれかに記載のプラズマ処理装置。
【請求項５】
電極を平面視でロ字状に形成して成ることを特徴とする請求項１乃至４のいずれかに記載のプラズマ処理装置。
【請求項６】
接地される一方の電極を高電圧が印加される他方の電極よりも吹き出し口に近づけて配置して成ることを特徴とする請求項１乃至５のいずれかに記載のプラズマ処理装置。
【請求項７】
吹き出し口の長手方向と平行な方向に長く電極を形成して成ることを特徴とする請求項１又は２に記載のプラズマ処理装置。
【請求項８】
電極を側面視で下面が開口するコ字状に形成して成ることを特徴とする請求項１又は２に記載のプラズマ処理装置。
【請求項９】
反応容器内でのプラズマ生成用ガスの流れを均一化するためのガス均一化室を設けて成り、前記ガス均一化室は、このガス均一化室に供給されたプラズマ生成用ガスがこのガス均一化室を通過して反応容器内に導入されるように形成されたものであることを特徴とする請求項１乃至８のいずれかに記載のプラズマ処理装置。
【請求項１０】
ガス均一化室内に突出する鍔部を反応容器に形成して成ることを特徴とする請求項９に記載のプラズマ処理装置。
【請求項１１】
ガス均一化室に球体を充填して成ることを特徴とする請求項９又は１０に記載のプラズマ処理装置。
【請求項１２】
平坦な平面部と断面が半円弧状の曲面部とを備えて反応容器を形成し、平面部に吹き出し口を形成して成ることを特徴とする請求項１に記載のプラズマ処理装置。
【請求項１３】
曲面部に電極を配置して成ることを特徴とする請求項１２に記載のプラズマ処理装置。
【請求項１４】
電極を半円弧状に形成して成ることを特徴とする請求項１２又は１３に記載のプラズマ処理装置。
【請求項１５】
反応容器の下面を平面部として形成し、プラズマ生成用ガスを反応容器に横から供給することを特徴とする請求項１２乃至１４のいずれかに記載のプラズマ処理装置。
【請求項１６】
反応容器を円筒状に形成し、一対の電極を上下に対向させて配置して成ることを特徴とする請求項１に記載のプラズマ処理装置。
【請求項１７】
電極を平面視で環状に形成して成ることを特徴とする請求項１６に記載のプラズマ処理装置。
【請求項１８】
接地される一方の電極を高電圧が印加される他方の電極よりも吹き出し口に近づけて配置して成ることを特徴とする請求項１６又は１７に記載のプラズマ処理装置。
【請求項１９】
電気力線が沿って形成される反応容器の内面に沿わせて吹き出し口を形成して成ることを特徴とする請求項１乃至１８のいずれかに記載のプラズマ処理装置。
【請求項２０】
電気力線が沿って形成される反応容器の複数個の内面のそれぞれに沿わせて吹き出し口を形成して成ることを特徴とする請求項１乃至１８のいずれかに記載のプラズマ処理装置。
【請求項２１】
少なくとも一方の電極を冷媒で冷却して成ることを特徴とする請求項１乃至２０のいずれかに記載のプラズマ処理装置。
【請求項２２】
反応容器内において一対の電極の間に形成される放電空間の体積を減少させるための体積減少具を反応容器内に設けて成ることを特徴とする請求項１乃至２１のいずれかに記載のプラズマ処理装置。
【請求項２３】
体積減少具を絶縁材料で形成して成ることを特徴とする請求項２２に記載のプラズマ処理装置。
【請求項２４】
体積減少具を冷媒で冷却して成ることを特徴とする請求項２２又は２３に記載のプラズマ処理装置。
【請求項２５】
体積減少具を金属材料で形成すると共に体積減少具を冷媒で冷却して成ることを特徴とする請求項２２に記載のプラズマ処理装置。
【請求項２６】
冷媒がイオン交換水であることを特徴とする請求項２１乃至２５のいずれかに記載のプラズマ処理装置。
【請求項２７】
冷媒が不凍性及び絶縁性を有することを特徴とする請求項２１乃至２５のいずれかに記載のプラズマ処理装置。
【請求項２８】
一対の電極の間に印加する交流電界の周波数を１ｋＨｚ〜２００ＭＨｚに設定することを特徴とする請求項１乃至２７のいずれかに記載のプラズマ処理装置。
【請求項２９】
電極の反応容器と接触する側の表面粗度を１０〜１０００μｍに形成して成ることを特徴する請求項１乃至２８のいずれかに記載のプラズマ処理装置。
【請求項３０】
請求項１乃至２９のいずれかに記載のプラズマ処理装置の吹き出し口の下方に被処理物を配置し、吹き出し口からプラズマを吹き出して被処理物に供給することを特徴とするプラズマ処理方法。
【発明の詳細な説明】
【０００１】
【発明の属する技術分野】
本発明は、被処理物の表面に存在する有機物等の異物のクリーニング、レジストの剥離、有機フィルムの密着性の改善、金属酸化物の還元、製膜、表面改質などのプラズマ処理に利用されるプラズマを発生させるためのプラズマ処理装置、及びこれを用いたプラズマ処理方法に関するものであり、特に、精密な接合が要求される電子部品の表面のクリーニングに好適に応用されるものである。
【０００２】
【従来の技術】
従来より、大気圧下でプラズマ処理を行うことが試みられている。例えば、特開平２−１５１７１号公報や特開平３−２４１７３９号公報や特開平１−３０６５６９号公報には、反応容器内の放電空間に一対の電極を配置すると共に電極の間に誘電体を設け、放電空間をＨｅ（ヘリウム）やＡｒ（アルゴン）などの希ガスを主成分とするプラズマ生成用ガスで充満し、反応容器に被処理物を入れると共に電極の間に交流電界を印加するようにしたプラズマ処理方法が開示されており、誘電体が配置された電極の間に交流電界を印加することにより安定的にグロー状の放電を発生させ、このグロー状の放電によりプラズマ生成用ガスを励起して反応容器内にプラズマを生成し、このプラズマにより被処理物の処理を行うようにしたものである。
【０００３】
また、特開平４−３３４５４３号公報や特開平５−２０２４８１号公報にも大気圧下でプラズマ処理を行うことが記載されており、これら公報には、円筒状の反応管の外周に複数の電極を設け、電極間に交流電圧を印加して反応管内にプラズマを発生させ、プラズマが発生した反応管内に被処理物を導入して被処理物の処理を行うようにしたものである。
【０００４】
しかし、上記公報に記載の方法では被処理物の特定の部分のみに局所的にプラズマ処理を行いにくく、また、処理時間も長くかかるという問題があった。そこで、大気圧下でグロー状の放電により生成したプラズマ（特にプラズマの活性種）を被処理物にジェット状に吹き出してプラズマ処理を行うことが、例えば、特開平３−２１９０８２号公報、特開平４−２１２２５３号公報、特開平６−１０８２５７号公報等で提案されている。これら公報に記載の方法は、ジェット状のプラズマをスポット的に吹き出して被処理物に吹き付けることによって、被処理物を局所的にプラズマ処理するようにしたものである。
【０００５】
また、プラズマをある程度の幅で被処理物に供給してプラズマ処理を行うことが特開平４−３５８０７６号公報に記載されている。この方法は、表面に固体誘電体を配設した一対の誘電体被覆電極を対向させて配置し、誘電体被覆電極の間に上側からプラズマ生成用ガスを導入すると共に誘電体被覆電極に高電圧を印加することによって、プラズマ生成用ガスからプラズマを生成し、このプラズマを誘電体被覆電極の間から下流して被処理物に供給するものである。
【０００６】
【発明が解決しようとする課題】
しかし、このプラズマをスポット的に吹き出す方法では、被処理物に供給されるプラズマの面積が小さいので、ＢＧＡ（Ｂａｌｌ  Ｇｒｉｄ  Ａｒｒａｙ）基板などの基板の全面を処理する場合にプラズマを基板の全面に亘って走査させなければならず、処理時間が長くなるという問題があった。また、特開平４−３５８０７６号公報のものでは、プラズマがある程度の幅を持って基板に供給されるので、プラズマをジェット状に吹き出す方法に比べて処理時間を短くすることができるが、表面に固体誘電体を配設した一対の誘電体被覆電極を対向させて配置し、誘電体被覆電極に高電圧を印加することによってプラズマを生成しているので、固体誘電体の表面の垂直方向に電気力線が生じることになり、この電気力線による固体誘電体劣化により固体誘電体の表面からその構成物質が飛び出しやすくなり、飛び出した固体誘電体の構成物質が不純物として被処理物に付着して被処理物が汚染されるという問題があった。
【０００７】
本発明は上記の点に鑑みてなされたものであり、ＢＧＡ基板などの基板の全面を処理する場合に処理時間を短くすることができ、しかも、被処理物の汚染を少なくすることができるプラズマ処理装置及びプラズマ処理方法を提供することを目的とするものである。
【０００８】
【課題を解決するための手段】
本発明の請求項１に係るプラズマ処理装置は、絶縁材料で形成される反応容器１と、反応容器１の外面に接する少なくとも一対の対向する電極２、３とを具備して構成され、反応容器１にプラズマ生成用ガスを供給すると共に電極２、３の間に交流電界を印加することにより大気圧下で反応容器１内にグロー状の放電を生じさせ、グロー状の放電により反応容器１内にプラズマを生成するようにしたプラズマ処理装置において、反応容器１の内面に沿った電気力線ａが形成されるように一対の電極２、３を配置し、幅を持ったジェット状のプラズマを吹き出すための吹き出し口４を反応容器１の平坦な平面部分にスリット状に形成し、このスリット状の吹き出し口４の開口面積を反応容器１内部の断面積よりも小さく形成して成ることを特徴とするものである。
【０００９】
また本発明の請求項２に係るプラズマ処理装置は、請求項１の構成に加えて、箱状の反応容器１の下面に吹き出し口４を形成して成ることを特徴とするものである。
【００１０】
また本発明の請求項３に係るプラズマ処理装置は、請求項１又は２の構成に加えて、一対の電極２、３を上下に対向させて配置して成ることを特徴とするものである。
【００１１】
また本発明の請求項４に係るプラズマ処理装置は、請求項１乃至３のいずれかの構成に加えて、反応容器１を扁平筒状に形成し、反応容器１の側壁１ａの対向間隔を幅狭方向へ０．１〜５ｍｍに形成して成ることを特徴とするものである。
【００１２】
また本発明の請求項５に係るプラズマ処理装置は、請求項１乃至４のいずれかの構成に加えて、電極２、３を平面視でロ字状に形成して成ることを特徴とするものである。
【００１３】
また本発明の請求項６に係るプラズマ処理装置は、請求項１乃至５のいずれかの構成に加えて、接地される一方の電極３を高電圧が印加される他方の電極２よりも吹き出し口４に近づけて配置して成ることを特徴とするものである。
【００１４】
また本発明の請求項７に係るプラズマ処理装置は、請求項１又は２の構成に加えて、吹き出し口４の長手方向と平行な方向に長く電極２、３を形成して成ることを特徴とするものである。
【００１５】
また本発明の請求項８に係るプラズマ処理装置は、請求項１又は２の構成に加えて、電極２、３を側面視で下面が開口するコ字状に形成して成ることを特徴とするものである。
【００１６】
また本発明の請求項９に係るプラズマ処理装置は、請求項１乃至８のいずれかの構成に加えて、反応容器１内でのプラズマ生成用ガスの流れを均一化するためのガス均一化室５を設けて成り、前記ガス均一化室５は、このガス均一化室５に供給されたプラズマ生成用ガスがこのガス均一化室５を通過して反応容器１内に導入されるように形成されたものであることを特徴とするものである。
【００１７】
また本発明の請求項１０に係るプラズマ処理装置は、請求項９の構成に加えて、ガス均一化室５内に突出する鍔部５０を反応容器１に形成して成ることを特徴とするものである。
【００１８】
また本発明の請求項１１に係るプラズマ処理装置は、請求項９又は１０の構成に加えて、ガス均一化室５に球体６を充填して成ることを特徴とするものである。
【００１９】
また本発明の請求項１２に係るプラズマ処理装置は、請求項１の構成に加えて、平坦な平面部７と断面が半円弧状の曲面部８とを備えて反応容器１を形成し、平面部７に吹き出し口４を形成して成ることを特徴とするものである。
【００２０】
また本発明の請求項１３に係るプラズマ処理装置は、請求項１２の構成に加えて、曲面部８に電極２、３を配置して成ることを特徴とするものである。
【００２１】
また本発明の請求項１４に係るプラズマ処理装置は、請求項１２又は１３の構成に加えて、電極２、３を半円弧状に形成して成ることを特徴とするものである。
【００２２】
また本発明の請求項１５に係るプラズマ処理装置は、請求項１２乃至１４のいずれかの構成に加えて、反応容器１の下面を平面部７として形成し、プラズマ生成用ガスを反応容器１に横から供給することを特徴とするものである。
【００２３】
また本発明の請求項１６に係るプラズマ処理装置は、請求項１の構成に加えて、反応容器１を円筒状に形成し、一対の電極２、３を上下に対向させて配置して成ることを特徴とするものである。
【００２４】
また本発明の請求項１７に係るプラズマ処理装置は、請求項１６の構成に加えて、電極２、３を平面視で環状に形成して成ることを特徴とするものである。
【００２５】
また本発明の請求項１８に係るプラズマ処理装置は、請求項１６又は１７の構成に加えて、接地される一方の電極３を高電圧が印加される他方の電極２よりも吹き出し口４に近づけて配置して成ることを特徴とするものである。
【００３０】
また本発明の請求項１９に係るプラズマ処理装置は、請求項１乃至１８のいずれかの構成に加えて、電気力線ａが沿って形成される反応容器１の内面に沿わせて吹き出し口４を形成して成ることを特徴とするものである。
【００３１】
また本発明の請求項２０に係るプラズマ処理装置は、請求項１乃至１８のいずれかの構成に加えて、電気力線ａが沿って形成される反応容器１の複数個の内面のそれぞれに沿わせて吹き出し口４を形成して成ることを特徴とするものである。
【００３２】
また本発明の請求項２１に係るプラズマ処理装置は、請求項１乃至２０のいずれかの構成に加えて、少なくとも一方の電極２、３を冷媒で冷却して成ることを特徴とするものである。
【００３３】
また本発明の請求項２２に係るプラズマ処理装置は、請求項１乃至２１のいずれかの構成に加えて、反応容器１内の一対の電極２、３の間に形成される放電空間１５の体積を減少させるための体積減少具１１を反応容器１内に設けて成ることを特徴とするものである。
【００３４】
また本発明の請求項２３に係るプラズマ処理装置は、請求項２２の構成に加えて、体積減少具１１を絶縁材料で形成して成ることを特徴とするものである。
【００３５】
また本発明の請求項２４に係るプラズマ処理装置は、請求項２２又は２３の構成に加えて、体積減少具１１を冷媒で冷却して成ることを特徴とするものである。
【００３６】
また本発明の請求項２５に係るプラズマ処理装置は、請求項２２の構成に加えて、体積減少具１１を金属材料で形成すると共に体積減少具１１を冷媒で冷却して成ることを特徴とするものである。
【００３７】
また本発明の請求項２６に係るプラズマ処理装置は、請求項２１乃至２５のいずれかの構成に加えて、冷媒がイオン交換水であることを特徴とするものである。
【００３８】
また本発明の請求項２７に係るプラズマ処理装置は、請求項２１乃至２５のいずれかの構成に加えて、冷媒が不凍性及び絶縁性を有することを特徴とするものである。
【００３９】
また本発明の請求項２８に係るプラズマ処理装置は、請求項１乃至２７のいずれかの構成に加えて、一対の電極２、３の間に印加する交流電界の周波数を１ｋＨｚ〜２００ＭＨｚに設定することを特徴とするものである。
【００４０】
また本発明の請求項２９に係るプラズマ処理装置は、請求項１乃至２８のいずれかの構成に加えて、電極２、３の反応容器１と接触する側の表面粗度を１０〜１０００μｍに形成して成ることを特徴するものである。
【００４１】
本発明の請求項３０に係るプラズマ処理方法は、請求項１乃至２９のいずれかに記載のプラズマ処理装置の吹き出し口４の下方に被処理物を配置し、吹き出し口４からプラズマを吹き出して被処理物に供給することを特徴とするものである。
【００４２】
【発明の実施の形態】
以下、本発明の実施の形態を説明する。
【００４３】
図１に本発明のプラズマ処理装置の一例を示す。このプラズマ処理装置は、反応容器１の外周の全周に亘って一対の電極２、３を接触させて設けると共に電極２と電極３を上下に対向させて配置することによって形成されており、反応容器１の内部において電極２と電極３の間に放電空間１５が形成されている。一対の電極２、３のうち、一方の電極２は高周波を発生する電源１８と接続されて高電圧が印加される高圧電極として形成されており、他方の電極３は接地される接地電極として形成されている。
【００４４】
反応容器１は高融点の絶縁材料（誘電体材料）で形成されるものである。反応容器１を構成する絶縁材料の誘電率は放電空間１５におけるプラズマの低温化の重要な要素であって、具体的には絶縁材料として、石英、アルミナ、イットリア部分安定化ジルコニウムなどのガラス質材料やセラミック材料などを例示することができる。
【００４５】
反応容器１はその厚み方向（反応容器１及びプラズマ処理装置の厚み方向を矢印Ｂで示す）に並んで対向する一対の側壁１ａと、反応容器１の幅方向（反応容器１及びプラズマ処理装置の幅方向を矢印Ａで示す）に並んで対向する一対の側壁１ｂと、反応容器１の下面を構成する矩形状（底面視で長方形）の底部１ｃとで有底の角形筒状に形成されている。また、反応容器１の上面はガス導入口１６として略全面に亘って開放されていると共に底部１ｃの外面である反応容器１の下面はほぼ平坦な面で形成されている。そして、図１（ｂ）に示すように、反応容器１の下面の厚み方向の略中央部には反応容器１の長手方向（幅方向）と平行な方向に長くて幅広の吹き出し口４が形成されている。吹き出し口４はスリット状であって、反応容器１の底部１ｃを貫通して反応容器１の内部の放電空間１５と連通している。
【００４６】
反応容器１は厚み寸法よりも幅寸法が非常に大きく形成された扁平形状であって、反応容器１の厚み方向（幅狭方向）における内寸Ｗ、すなわち、反応容器１の厚み方向（幅狭方向）に並んで対向する一対の側壁１ａの内面の対向間隔Ｗは、０．１〜５ｍｍに形成するのが好ましい。このように反応容器１の厚み方向の内寸Ｗを０．１〜５ｍｍにすることによって、放電空間１５の体積が比較的小さくなって、放電空間１５における単位空間あたりの電力を高くすることができ、つまり、放電空間１５における放電空間密度を上げることができ、低電力化及び小ガス流量化を図ることができるものであり、しかも、プラズマの生成効率が高まって、プラズマ処理の能力を向上させることができるものである。
【００４７】
反応容器１の内寸Ｗが０．１ｍｍ未満であると、吹き出し口４が小さくなり過ぎてプラズマの吹き出し範囲が狭くなり、プラズマ処理をすることができる範囲が小さくなる恐れがあり、また、反応容器１の強度が低下する恐れがある。一方、反応容器１の内寸Ｗが５ｍｍより大きくなると、吹き出し口４が大きくなり過ぎて吹き出し口４から吹き出されるジェット状のプラズマの流速が小さくなり、プラズマ処理の速度が遅くなる恐れがあり、また、放電空間１５の体積が大きくなり過ぎて放電空間７における単位体積あたりの投入電力（交流電界）が小さくなってプラズマの生成の効率が低下し、プラズマ処理の速度が遅くなる恐れがある。そして、これらの問題点を解決するためには、ガス流量や電力を増やすしかないが、この結果、ガス及び電力を多量に消費し、コストパフォーマンスが低下する恐れがある。従って、反応容器１の内寸Ｗを０．１〜５ｍｍに形成するのが好ましい。
【００４８】
電極２と電極３は同形であって、平面視でロ字状（角形環状）に形成されている。すなわち、電極２と電極３の略中央部には上下に貫通する挿着孔１７が形成されている。この挿着孔１７の大きさは反応容器１の外周寸法とほぼ同一に、また、挿着孔１７の平面視の形状は反応容器１の外周形状とほぼ同一にそれぞれ形成されている。さらに、電極２と電極３はその冷却効率を高くするために熱伝導性の高い金属材料、例えば、銅、アルミニウム、真鍮、耐食性の高いステンレス（ＳＵＳ３０４など）などで形成されている。また、電極２、３の表面をより耐食性が高く高周波の伝播性の良い金などでメッキすることも有効である。そして、電極２と電極３を平面視でロ字状に形成することによって、反応容器１の全周に亘って電極２と電極３を配置することができ、電極２及び電極３と反応容器１との接触面積を大きくして接触性を向上させることができ、プラズマの生成が容易になるものである。
【００４９】
電極２と電極３の内周面（挿着孔１７を構成する面）は反応容器１の外周と接触する面であって、その内周面の算術平均粗さで表した表面粗度は１０〜１０００μｍに設定されている。このように電極２と電極３の内周面の表面粗度を１０〜１０００μｍに設定することによって、放電空間１５における放電の均一化を図ることができる。グロー状の放電とはミクロ的に見た場合に、非常に微細なマイクロディスチャージの集合体が形成され、アークへの移行が阻害されるためであると考えられる。電極２と電極３の内周面の表面粗度が１０μｍ未満であれば、放電しにくくなる恐れがあり、電極２と電極３の内周面の表面粗度が１０００μｍを超えると、放電の不均一化が生じる恐れがある。このように電極２と電極３の内周面を粗面化する加工としては、サンドブラストなどの物理的手段を採用することができる。尚、表面粗さをｙ＝ｆ（ｘ）の形に表した場合の算術平均粗さＲａ（μｍ）はＪＩＳ  Ｂ  ０６０１で以下の式（１）で定義されている。
【００５０】
【数１】
0004372918.tif 000002
【００５１】
そして、反応容器１を挿着孔１７に差し込むことによって、電極２と電極３を反応容器１の外周に取り付けると共に電極２と電極３の内周面を反応容器１の外周面（側壁１ａと側壁１ｂの外面）に接触させるように配置し、交流電界を発生させる電源１８を電極２に接続すると共に電極３を接地することによって、図１（ａ）に示すようなプラズマ処理装置を形成することができる。ここで、接地される電極３は高電圧が印加される電極２よりも下側に、すなわち、電極３は電極２よりも吹き出し口４の近くに配置されている。このように電極３を電極２よりも吹き出し口４の近くに配置することによって、電極２よりも電極３の方が吹き出し口４の下側に配置される被処理物に近くに位置することになり、すなわち、高電圧となる電極２が電極３よりも被処理物から遠くに位置することになり、電極２から被処理物にアーク放電が飛びにくくなって、アーク放電による被処理物の破損を防止することができる。
【００５２】
電極２と電極３の間隔（電極２の下端と電極３の上端の間隔）は３〜２０ｍｍに設定するのが好ましい。電極２と電極３の間隔が３ｍｍ未満であれば、反応容器１の外部で電極２と電極３の間で短絡が起こって放電空間１５で放電が起こらなくなる恐れがあり、しかも、放電空間１５が狭くなって、効率よくプラズマを生成することが難しくなる恐れがある。また、電極２と電極３の間隔が２０ｍｍを超えると、放電空間１５で放電が起こりにくくなって、効率よくプラズマを生成することが難しくなる恐れがある。
【００５３】
上記のように形成されるプラズマ処理装置では、プラズマ生成用ガスとして不活性ガス（希ガス）あるいは不活性ガスと反応ガスの混合気体を用いる。不活性ガスとしては、ヘリウム、アルゴン、ネオン、クリプトンなどを使用することができるが、放電の安定性や経済性を考慮すると、アルゴンやヘリウムを用いるのが好ましい。また反応ガスの種類は処理の内容によって任意に選択することができる。例えば、被処理物の表面に存在する有機物のクリーニング、レジストの剥離、有機フィルムのエッチングなどを行う場合は、酸素、空気、ＣＯ2、Ｎ2Ｏなどの酸化性ガスを用いるのが好ましい。また反応ガスとしてＣＦ4などのフッ素系ガスも適宜用いることができ、シリコンなどのエッチングを行う場合にはこのフッ素系ガスを用いるのが効果的である。また金属酸化物の還元を行う場合は、水素、アンモニアなどの還元性ガスを用いることができる。反応ガスの添加量は不活性ガスの全量に対して１０重量％以下、好ましくは０．１〜５重量％の範囲である。反応ガスの添加量が０．１重量％未満であれば、処理効果が低くなる恐れがあり、反応ガスの添加量が１０重量％を超えると、放電が不安定になる恐れがある。
【００５４】
上記のように形成されるプラズマ処理装置を用いてプラズマ処理を行うにあたっては、まず、矢印（１）で示すようにガス導入口１６から反応容器１の内部にプラズマ生成用ガスを上から下に向かって流して導入すると共に電極２に電源１８から高周波電圧を印加して、電極２と電極３の間の放電空間１５に高周波の交流電界を印加する。この交流電界の印加により大気圧下で放電空間１５にグロー状の放電を発生させ、グロー状の放電でプラズマ生成用ガスをプラズマ化してプラズマ活性種を含むプラズマを生成した後、矢印（２）で示すように、吹き出し口４から下方にカーテンのような幅を持ったジェット状のプラズマを連続的に流出させ、吹き出し口４の下側に配置された被処理物の表面にプラズマを吹き付けるようにする。このようにして被処理物のプラズマ処理を行うことができる。また、平板状の基板が被処理物であって、その基板の表面全面をプラズマ処理するには、プラズマを吹き出しながら基板あるいはプラズマ処理装置を吹き出し口４の長手方向と直交する方向に移動させ、基板の表面全面にプラズマを走査して吹き付けるようにして行う。さらに、プラズマ処理装置又は被処理物を被処理物の移動方向と直交する方向に振動させることにより、繰り返しプラズマが被処理物に吹き付けられることになってプラズマ処理の均一化を高めることも可能である。
【００５５】
本発明において、印加される交流電界の周波数は１ｋＨｚ〜２００ＭＨｚに設定するのが好ましい。交流の周波数が１ｋＨｚ未満であれば、放電空間１５での放電を安定化させることができなくなり、プラズマ処理を効率よく行うことができなくなる恐れがある。また、交流の周波数が２００ＭＨｚを超えると、放電空間１５でのプラズマの温度上昇が著しくなり、反応容器１や電極２や電極３の寿命が短くなる恐れがあり、しかも、プラズマ処理装置が複雑化及び大型化する恐れがある。また本発明において、放電空間１５に印加される印加電力は２０〜３５００Ｗ／ｃｍ3に設定するのが好ましい。放電空間１５に印加される印加電力が２０Ｗ／ｃｍ3未満であれば、プラズマを充分に発生させることができなくなり、逆に、放電空間１５に印加される印加電力が３５００Ｗ／ｃｍ3を超えると、安定した放電を得ることができなくなる恐れがある。尚、印加電力の密度（Ｗ／ｃｍ3）は、（印加電力／放電空間体積）で定義される。
【００５６】
そしてこの実施の形態では、反応容器１の側壁１ａと側壁１ｂの内面に沿った電気力線ａが形成されるように、反応容器１を挟んで対向させないで電極２と電極３を配置するので、反応容器１の内面の垂直方向に電気力線が生じにくくなって電気力線ａによる反応容器１の劣化を少なくすることができ、反応容器１の側壁１ａと側壁１ｂの内面からその構成物質が飛び出しにくくなって被処理物が不純物により汚染されるのを少なくすることができるものである。すなわち、本発明では図２（ａ）に示すように、電極２と電極３が反応容器１の側壁１ａと側壁１ｂの外面側に設けられてそれぞれの側壁１ａ、１ｂに沿った方向に互いに対向するように配置されるので、電極２と電極３の間に反応容器１の側壁１ａと側壁１ｂの内面に沿った電気力線ａが形成されるが、図２（ｂ）に示すように、電極２と電極３を反応容器１の側壁１ａと側壁１ｂの外面側へ設けて側壁１ａ、１ｂに対する直交方向へ互いに対向するように配置すると、電極２と電極３の間に反応容器１の側壁１ａと側壁１ｂの内面の直交方向に電気力線ａが形成されることになる。そして、本発明では図２（ａ）のように、電極２と電極３が対向する方向（電極２と電極３が並ぶ方向）において、少なくとも一部の電気力線ａが反応容器１の内面に沿って形成されるので、図２（ｂ）のように全ての電気力線ａが反応容器１の側壁１ａと側壁１ｂの内面の垂直方向に形成された場合に比べて反応容器１の劣化が小さくなり、反応容器１の側壁１ａと側壁１ｂの内面からその構成物質が飛び出しにくくなって被処理物が不純物により汚染されるのを少なくすることができるのである。
【００５７】
また、上記の実施の形態では、幅を持ったジェット状のプラズマを吹き出すための吹き出し口４を反応容器１の下面に形成するので、カーテンのような幅を持ったプラズマを吹き出し口４から吹き出しながら基板あるいはプラズマ処理装置を吹き出し口４の長手方向と直交する方向に移動させて基板の表面全面にプラズマを走査して吹き付けることによって、スポット的なプラズマを吹き出すものに比べて被処理物の広い面積を一度にプラズマ処理することができ、ＢＧＡ基板などの基板の全面を処理する場合に処理時間を短くすることができるものである。
【００５８】
さらに、上記の実施の形態では、放電空間１５に交流電界を印加するための電極２と電極３の両方を反応容器１の外側に設けるので、電極２と電極３の両方がプラズマに直接曝されることが無くなってプラズマによりスパッタリングを受けないようにすることができると共に、電極２と電極３の両方が反応ガスにより腐食されないようにすることができ、電極２と電極３がプラズマでダメージを受けなくなって寿命を長くすることができるものである。しかも、スパッタリングや腐食により不純物が生じないので、長期間の使用であっても被処理物が不純物より汚染されないようにすることができるものである。
【００５９】
また、上記の実施の形態では、電極２と電極３をプラズマ生成用ガスの導入方向へ沿って対向するように、すなわち、電極２と電極３を上下に並べて対向させて配置するので、放電空間１５に生成される交流電界の方向（電気力線ａの方向）とプラズマ生成用ガス及びプラズマの流れ方向とをほぼ一致させることができ、プラズマの活性種を効率よく生成することができるものであり、しかも、電極２と電極３の間隔を変えることによって、放電空間１５の大きさを簡単に変えることができ、プラズマの生成量を容易に調整することができるものである。
【００６０】
図３（ａ）（ｂ）に他の実施の形態を示す。このプラズマ処理装置では、電気力線ａが沿って形成される反応容器１の片側の側壁１ａの内面に沿うようにして吹き出し口４を反応容器１の下面に形成したものであり、その他の構成は図１のものと同様に形成されている。すなわち、図１のプラズマ処理装置では、反応容器１の厚み方向において反応容器１の下面を略二等分する中心線Ｄにほぼ沿って吹き出し口４が長く形成されているが、図３（ａ）（ｂ）のプラズマ処理装置では上記の中心線Ｄの位置よりも側壁１ａに近づいた位置で且つ側壁１ａの近傍において、反応容器１の下面の端部に吹き出し口４を側壁１ａの内面に沿って長く形成したものである。また、このプラズマ処理装置では中心線Ｄを挟んで対向する一対の側壁１ａ、１ａのうちの片側の側壁１ａの近傍にのみに吹き出し口４が形成されている。
【００６１】
上記のように図１のプラズマ処理装置では、電極２と電極３が反応容器１の側壁１ａと側壁１ｂの外面に接触することにより、反応容器１の側壁１ａと側壁１ｂの内面に沿った電気力線ａが多く形成されるが、このことで、図３（ｂ）（ｃ）に示すようにプラズマＰは、反応容器１の中央部よりも反応容器１の側壁１ａと側壁１ｂの内面の近傍において集中して生成されて濃度が高くなる傾向にある。従って、図１及び図３（ｃ）に示すように、反応容器１の下面において反応容器１の厚み方向の略中央部に吹き出し口４を形成するよりも、図３（ａ）（ｂ）に示すように、反応容器１の下面において反応容器１の側壁１ａの近傍で側壁１ａに沿って吹き出し口４を形成する方が効率よくプラズマＰを吹き出すことができ、プラズマ処理の能力を向上させることができるものである。
【００６２】
図４に他の実施の形態を示す。このプラズマ処理装置では、電気力線ａが沿って形成される反応容器１の両側の側壁１ａの内面に沿うようにして吹き出し口４を反応容器１の下面に形成したものであり、その他の構成は図１のものと同様に形成されている。すなわち、図１のプラズマ処理装置では、反応容器１の下面を反応容器１の厚み方向に略二等分する中心線Ｄにほぼ沿って吹き出し口４が長く形成されているが、図４（ａ）（ｂ）のプラズマ処理装置では上記の中心線Ｄの位置よりも側壁１ａに近づいた位置で且つ側壁１ａの近傍において、反応容器１の下面の端部に吹き出し口４を側壁１ａの内面に沿って長く形成したものである。また、このプラズマ処理装置では中心線Ｄを挟んで対向する一対の側壁１ａ、１ａの両側の側壁１ａの近傍に吹き出し口４が形成されている。
【００６３】
上記のように図１のプラズマ処理装置では反応容器１の側壁１ａと側壁１ｂの内面に沿った電気力線ａが多く形成されるが、このことで、図４（ａ）に示すようにプラズマＰは、反応容器１の中央部よりも反応容器１の側壁１ａと側壁１ｂの内面の近傍において集中して生成されて濃度が高くなる傾向にある。従って、図１及び図３（ｃ）に示すように、反応容器１の下面において反応容器１の厚み方向の略中央部に吹き出し口４を形成するよりも、図４（ａ）（ｂ）に示すように、反応容器１の下面において反応容器１の側壁１ａの近傍で側壁１ａに沿って吹き出し口４を形成する方が、効率よくプラズマＰを吹き出すことができ、プラズマ処理の能力を向上させることができるものである。しかも、吹き出し口４の下側において、被処理物６０を吹き出し口４の長手方向と直交する方向に搬送してプラズマ処理を行うことによって、プラズマＰを被処理物６０に二重（二回）に吹き付けることができ、図３（ａ）（ｂ）のものに比べて、被処理物６０の一回の搬送におけるプラズマＰの照射時間が二倍になって、プラズマ処理の能力を向上させることができるものである。尚、この実施の形態においては、図１や図３（ａ）（ｂ）のものに比べて吹き出し口４の開口面積が増えるために、プラズマ生成用ガスの流量を増やしてプラズマＰの吹き出しの流速が低下しないようにするのが好ましい。
【００６４】
図５、６に他の実施の形態を示す。この実施の形態は図１のプラズマ処理装置において、電極２と電極３を冷却するものである。つまり、電極２と電極３の内部は冷媒が流通可能な流通部２６として形成されていると共に、電極２と電極３の外周面には流通部２６と連通する供給管２１と排出管２２が突設されており、矢印（３）で示すように供給管２１を通じて電極２と電極３の内部の流通部２６に冷媒を供給することによって、プラズマを発生させている間、電極２と電極３を冷却するのである。流通部２６に供給された冷媒は矢印（４）で示すように排出管２２を通じて電極２と電極３から排出される。
【００６５】
冷媒としてはイオン交換水や純水を使用することができる。イオン交換水や純水を用いることによって、冷媒中に不純物が含まれることがなく、電極２と電極３が冷媒で腐食されにくくなるものである。また、冷媒としては０℃で不凍性を有し、且つ電気絶縁性及び不燃性や化学安定性を有する液体であることが好ましく、例えば、電気絶縁性能は０．１ｍｍ間隔での耐電圧が１０ｋＶ以上であることが好ましい。この範囲の絶縁性を有する冷媒を用いる理由は、高電圧が印加される高圧電極からの漏電を防止するためである。このような性質を有する冷媒としては、パーフルオロカーボン、ハイドロフルオロエーテル等を例示することができ、また純水にエチレングリコールを５〜６０重量％添加した混合液であってもよい。
【００６６】
そして、この実施の形態では、電極２と電極３を冷媒により冷却するので、大気圧下で周波数の高い交流でプラズマを生成しても、電極２と電極３の温度上昇を抑えることができ、よってプラズマの温度（ガス温度）が高くならないようにすることができて被処理物の熱的損傷を少なくすることができるものである。また、電極２と電極３を冷却することによって、放電空間１５の局所的な加熱を防ぐことができ、均質なグロー状の放電を生成してストリーマー放電の生成を抑えることができて被処理物のストリーマー放電による損傷をより少なくすることができるものである。これは、電極２と電極３を冷却することによって、電極２と電極３からの部分的な電子の放出が抑えられるためであると考えられる。尚、この実施の形態では、電極２と電極３の両方を冷却するようにしたが、電極２と電極３のいずれか一方のみを冷却するようにしてもよい。
【００６７】
尚、この実施の形態においても、図３（ａ）（ｂ）に示すように、電気力線ａが沿って形成される反応容器１の片側の側壁１ａの内面に沿うようにして吹き出し口４を反応容器１の下面に形成したり、図４（ａ）（ｂ）に示すように、電気力線ａが沿って形成される反応容器１の両側の側壁１ａの内面に沿うようにして吹き出し口４を反応容器１の下面に形成したりすることができる。
【００６８】
図７に他の実施の形態を示す。この実施の形態は図５、６のプラズマ処理装置において、放電空間１５の体積を減少させるための体積減少具１１を設けたものである。体積減少具１１は図８（ａ）（ｂ）に示すように、反応容器１よりも小さく反応容器１の内部形状と略等しい箱状に形成されるものであって、体積減少具１１の内部には流通管２３が上下方向に蛇行するように配設されている。また、流通管２３の一端は導入部２４として、他端は導出部２５としてそれぞれ形成されており、導入部２４と導出部２５は体積減少具１１の上面から突出して配置されている。そして、体積減少具１１は流通管２３に上記と同様の冷媒を流通させることによって、冷却されるものである。すなわち、矢印（５）で示すように導入部２４を通じて流通管２３の内部に冷媒を供給して流通させることによって、体積減少具１１を冷却するのである。流通管２３に供給された冷媒は矢印（６）で示すように導出部２５を通じて排出される。
【００６９】
この体積減少具１１はその下部が放電空間１５内に位置するように、ガス導入口１６から反応容器１の内部に挿入されて配置されている。従って、この実施の形態における放電空間１５の体積は、図１乃至６のプラズマ処理装置の放電空間１５よりも減少している。そして、このように放電空間１５にその体積を減少させるための体積減少具１１を設けることによって、放電空間１５における単位体積あたりの投入電力（交流電界）を増加させることができ、プラズマの生成の効率を向上させることができるものである。また、プラズマを生成している間、体積減少具１１を冷媒により冷却することによって、体積減少具１１の熱による劣化を低減することができ、体積減少具１１の長寿命化を図ることができるものであり、しかも、体積減少具１１の周囲の放電空間１５で生成されるプラズマの温度を低下させることができ、被処理物の熱によるダメージを少なくすることができるものである。
【００７０】
さらに、体積減少具１１は反応容器１の中心を上下に貫くように配置されている。つまり、反応容器１の長手方向（上下方向）に長い中心線と体積減少具１１の長手方向（上下方向）に長い中心線とがほぼ合致するように、反応容器１と体積減少具１１はほぼ同軸（同心円状）に配置されている。このように反応容器１と体積減少具１１をほぼ同軸に配置することによって、反応容器１の内周面と体積減少具１１の外周面の間に形成される放電空間１５の体積を均一化することができ、放電空間１５における交流電界の密度が均一化されて、プラズマを効率よく生成することができるものであり、しかも、生成されるプラズマが均質化されて高品質のプラズマ処理を行うことができるものである。
【００７１】
体積減少具１１は反応容器１と同様の高融点の絶縁材料で形成するのが好ましく、このことで体積減少具１１からスパッタリングや腐食により不純物が生じないようにすることができ、長期間の使用であっても被処理物が不純物より汚染されないようにすることができるものである。また、体積減少具１１はステンレス鋼等の金属材料で形成することもできるが、この場合、体積減少具１１の表面は、絶縁材料で保護膜でコーティングするのが好ましい。この保護膜に使用する絶縁材料としては、石英、アルミナ、イットリア部分安定化ジルコニウムなどのガラス質材料やセラミック材料などを例示することができる。さらに、アルミナ（Ａｌ2Ｏ3）、酸化チタン（チタニアでＴｉＯ2）、ＳｉＯ2、ＡｌＮ、Ｓｉ3Ｎ、ＳｉＣ、ＤＬＣ（ダイヤモンド様炭素被膜）、チタン酸バリウム、ＰＺＴ（チタン酸鉛ジルコネート）などの誘電体材質のものを例示することができる。またマグネシア（ＭｇＯ）単体あるいはマグネシアを含む絶縁材料を用いることもできる。
【００７２】
また、保護膜を形成するにあたっては、絶縁材料で角形筒体（セラミック管やガラス管）を形成し、これの内側に体積減少具１１を挿着して密着させる方法、及びアルミナ、チタン酸バリウム、酸化チタン、ＰＺＴなどの粉末をプラズマ中で分散させ、体積減少具１１の表面に吹き付けるようにするプラズマ溶射法、及びシリカ、酸化スズ、チタニア、ジルコニア、アルミナなどの無機質粉末を溶剤などにより分散し、体積減少具１１の表面にスプレーなどで吹き付けて被覆した後、６００℃以上の温度で溶融させるいわゆる琺瑯被覆方法、及びゾルゲル法によるガラス質膜の形成方法などを採用することができる。さらに気相蒸着法（ＣＶＤ）もしくは物理蒸着法（ＰＶＤ）により体積減少具１１の表面を保護膜でコーティングすることもでき、これらの方法を採用することによって、極めて緻密で平滑な吸着性の乏しい保護膜で体積減少具１１の表面をコーティングすることができ、放電の安定化をより促進することができる。現実的な処理時間及びコストを考慮すると、上記の溶射法を用いるのが好ましい。
【００７３】
また、保護膜の厚みは１０〜５００μｍに設定するのが好ましい。保護膜の厚みが１０μｍ未満であれば、体積減少具１１の劣化防止の効果が小さく、体積減少具１１の長寿命化を図りにくくなる恐れがあり、保護膜の厚みが５００μｍを超えても体積減少具１１の劣化防止の効果は大きく向上せず、保護膜に使用する絶縁材料の消費量が無駄に多くなって経済的に不利になる恐れがある。
【００７４】
また、体積減少具１１の表面と保護膜の間には、ニッケル、クロム、アルミニウム、イットリウムを含む合金膜で形成されるアンダーコートを介在させるのが好ましい。アンダーコートは合金の溶射により形成することができ、具体的な合金としては、Ｎｉ−Ｃｒ、Ｎｉ−Ａｌ、Ｎｉ−Ｃｒ−Ａｌ−Ｙなどを例示することができる。体積減少具１１は室温と高温のプラズマ下の繰り返しによる熱応力負荷環境に置かれることになり、この熱応力で保護膜が剥離してしまう恐れがある。そこで、保護膜にかかる熱応力負荷の衝撃を緩和させるためにアンダーコートを設けるようにする。金属である体積減少具１１と合金であるアンダーコートと絶縁材料である保護膜の熱膨張率の関係は、金属の膨張率＞合金の膨張率＞絶縁材料の膨張率となり、体積減少具１１の熱による伸縮がアンダーコートの介在によって保護膜に伝わりにくくなり、このことで、保護膜が剥離しにくくなって体積減少具１１の長寿命化を図ることができるものである。
【００７５】
また、保護膜には封孔処理を施すのが好ましい。封孔処理は保護膜の欠陥部分を埋める処理であって、ＳｉＯ2、ＴｉＯ2、Ａｌ2Ｏ3などの誘電体を含む溶液に浸漬して行う。この封孔処理を行うことによって、電極２と金属製の体積減少具１１の間でアーク放電を起こりにくくすることができ、プラズマの加熱による体積減少具１１の劣化を防止して体積減少具１１の長寿命化を図ることができるものである。
【００７６】
体積減少具１１はプラズマ処理を行う被処理物の種類によって使い分けが可能である。例えば、被処理物が金属材料のような高温に曝されても構わない（劣化等が起きない）場合は、冷却機構である流通管２３や冷媒を有さないで絶縁材料で形成される体積減少具１１を用いるようにする。この場合、体積減少具１１は冷却されないので、図９の曲線イで示すようにプラズマのガス温度が高くなり、図９の曲線ロで示すクリーニング性能ように、プラズマの処理速度を高めることができ、プラズマ処理（クリーニング）を短時間で行うことができるものである。一方、回路基板のように、比較的耐熱温度の低い被処理物をプラズマ処理する場合は、冷却機構である流通管２３や冷媒を有し、且つ熱伝導率が絶縁材料よりも高い金属材料で形成される体積減少具１１を用いるようにする。この場合、体積減少具１１は冷却されるので、図９の曲線イで示すようにプラズマのガス温度が低くなり、図９の曲線ロで示すクリーニング性能ように、プラズマの処理速度が多少低下するが、被処理物に熱ダメージを与えないでプラズマ処理（クリーニング）を行うことができるものである。
【００７７】
尚、この実施の形態においても、図３（ａ）（ｂ）に示すように、電気力線ａが沿って形成される反応容器１の片側の側壁１ａの内面に沿うようにして吹き出し口４を反応容器１の下面に形成したり、図４に示すように、電気力線ａが沿って形成される反応容器１の両側の側壁１ａの内面に沿うようにして吹き出し口４を反応容器１の下面に形成したりすることができる。
【００７８】
図１０に参考形態を示す。この参考形態では図２のプラズマ処理装置において、反応容器１の上部にガス均一化室５が一体に形成されている。ガス均一化室５は反応容器１よりも厚い箱状に形成されるものであって、ガス均一化室５の上面はガス供給口３０として全面に亘って開口されていると共にガス均一化室５の下面には反応容器１のガス導入口１６が開口されている。このガス均一化室５内にはシリカボール等で形成される球体６が多数個充填されている。
【００７９】
この参考形態では、ガス均一化室５を介してプラズマ生成用ガスを反応容器１に供給するのである。すなわち、ガス供給口３０からガス均一化室５内にプラズマ生成用ガスを導入し、球体６の間の隙間を通過させるようにしてプラズマ生成用ガスをガス導入口１６まで下流させ、この後、ガス導入口１６から反応容器１内にプラズマ生成用ガスを導入するのである。そして、このようにガス均一化室５を通過させてプラズマ生成用ガスを反応容器１に供給するので、プラズマ生成用ガスが反応容器１内の一部分に偏らないように、反応容器１内の全体に均一な濃度で供給することができ、均質なプラズマを効率よく生成することができるものであり、また、処理むらを少なくすることができるものである。
【００８０】
上記の球体６の直径は３〜７ｍｍに設定するのが好ましく、また、球体６の充填量は球体６の占める割合がガス均一化室５の容積の５０〜８０％になるように設定するのが好ましい。球体６の直径が３ｍｍ未満であったり、球体６の充填量が８０％を超えると、球体６の間の隙間が小さくなり過ぎてプラズマ生成用ガスを反応容器１に導入することができなくなる恐れがある。また、球体６の直径が７ｍｍを超えたり、球体６の充填量が５０％未満であると、球体６の間の隙間が大きくなり過ぎてプラズマ生成用ガスを反応容器１に均一に導入することができなくなる恐れがある。
【００８１】
尚、この参考形態においても、図３（ａ）（ｂ）に示すように、電気力線ａが沿って形成される反応容器１の片側の側壁１ａの内面に沿うようにして吹き出し口４を反応容器１の下面に形成したり、図４に示すように、電気力線ａが沿って形成される反応容器１の両側の側壁１ａの内面に沿うようにして吹き出し口４を反応容器１の下面に形成したりすることができる。また、上記のようなプラズマ生成用ガスを反応容器１に均一に導入するためのガス均一化室５は、本発明のいずれの実施の形態にも形成することができる。
【００８２】
図１１に他の参考形態を示す。この参考形態では図１のプラズマ処理装置において、反応容器１の上部にガス均一化室５が一体に形成されている。その他の構成は図１のものと同様である。図１２（ａ）（ｂ）（ｃ）に示すように、ガス均一化室５は反応容器１よりも厚い箱状に形成されるものであって、ガス均一化室５の上面にはガス供給口３０を設けたガス管部６１が突設されていると共にガス均一化室５の下部は下側ほど厚みが小さくなる絞り部６２として形成されており、ガス均一化室５の下端である絞り部６２の下端が反応容器１の側壁１ａ、１ｂの外面に接合されている。また図１３に示すように、反応容器１と絞り部６２の接合部分にはガス均一化室５内に突出する筒状の鍔部５０が反応容器１に一体に形成されており、鍔部５０の上面が反応容器１のガス導入口１６として開口されている。
【００８３】
この参考形態では、ガス均一化室５を介してプラズマ生成用ガスを反応容器１に供給するのである。すなわち、ガス供給口３０からガス均一化室５内にプラズマ生成用ガスを導入し、プラズマ生成用ガスをガス導入口１６まで下流させ、この後、ガス導入口１６から反応容器１内にプラズマ生成用ガスを導入するのである。そして、このようにガス均一化室５を通過させてプラズマ生成用ガスを反応容器１に供給することで、プラズマ生成用ガスが鍔部５０により撹拌されて反応容器１内の一部分に偏らないように拡散しやすくなり、反応容器１内の全体に均一な濃度で供給することができ、均質なプラズマを効率よく生成することができるものであり、また、処理むらを少なくすることができるものである。尚、このガス均一化室５内には上記と同様の球体６を充填してもよいが、充填しなくても良い。
【００８４】
図１４に他の実施の形態を示す。このプラズマ処理装置は反応容器１がその厚み方向（反応容器１及びプラズマ処理装置の厚み方向を矢印Ｂで示す）に並んで対向する一対の側壁１ａと、反応容器１の幅方向（反応容器１及びプラズマ処理装置の幅方向を矢印Ａで示す）に並んで対向する一対の側壁１ｂと、反応容器１の下面を構成する矩形状（底面視で長方形）の底部１ｃと上面１ｄで角形筒状に形成されている。また、反応容器１の上面１ｄの略中央部にはガス導入口（図示省略）が形成されていると共に反応容器１の矩形状（底面視で長方形）の下面はほぼ平坦な面で形成されている。そして、図１４（ｂ）に示すように、反応容器１の下面の厚み方向の略中央部にはその長手方向（幅方向）と平行な方向に長くて幅広の吹き出し口４が形成されている。吹き出し口４はスリット状であって、反応容器１の底部１ｃを貫通して反応容器１の内部の放電空間１５と連通している。
【００８５】
この反応容器１の外面には電極２と電極３が設けられている。すなわち、反応容器１の上面と反応容器１の幅方向に並んで対向する一対の側面１ｂの外面に電極２と電極３を接触させて設けると共に電極２と電極３を反応容器１の厚み方向に対向させて配置することによって形成されており、反応容器１の内部において電極２と電極３の間に放電空間１５が形成されている。反応容器１は上記と同様の材料で形成されている。
【００８６】
電極２と電極３は同形であって、側面視で下面が開口するコ字状に形成されている。すなわち、電極２と電極３は上片３１と上片３１の端部に下方に突出して延設される一対の側片３２とで構成されており、上片３１と側片３２で囲まれる空間を挿着凹部３３として形成するものである。この挿着凹部３３の幅方向の寸法は反応容器１の幅方向の外形法とほぼ同一に、また、挿着凹部３３の高さ方向の寸法は反応容器１の高さ方向の外寸法とほぼ同一にそれぞれ形成されている（反応容器１及びプラズマ処理装置の高さ方向を矢印Ｃで示す）。さらに、電極２と電極３は上記と同様の材料で形成されている。加えて、電極２と電極３の内面（挿着凹部３３を構成する面）は反応容器１の外周と接触する面であって、その内面の算術平均粗さで表した表面粗度は１０〜１０００μｍに設定されている。
【００８７】
そして、反応容器１を挿着凹部３３に下側から差し込むことによって、電極２と電極３を反応容器１の外面に取り付け、上片３１を反応容器１の上面に接触させると共に、吹き出し口４の長手方向において対向する反応容器１の側面に側片３２を接触させ、交流電界を発生させる電源１８を電極２に接続すると共に電極３を接地することによって、図１４（ａ）に示すようなプラズマ処理装置を形成することができる。電極２と電極３の間隔（反応容器１の厚み方向における電極２と電極３の間隔）は３〜２０ｍｍに設定するのが好ましい。このように形成されるプラズマ処理装置は、上記の図１に示す実施の形態と同様にしてプラズマ処理を行うことができ、また、図１に示す実施の形態と同様の効果を奏するものである。
【００８８】
さらに、この実施の形態では、電極２と電極３がその厚み方向の寸法よりも幅方向の寸法の方が長く形成されている。つまり、平面視において、電極２と電極３は吹き出し口４の長手方向と平行な方向に長く形成されており、しかも、吹き出し口４の幅方向の寸法よりも電極２と電極３の幅寸法の方が長く形成されている。また、電極２と電極３は吹き出し口４の長手方向と直交する方向（厚み方向）に並べて配置されており、しかも、電極２と電極３は、ガス導入口及び吹き出し口４を厚み方向の両側から挟むように並べて配置されている。つまり、平面視において、ガス導入口と吹き出し口４は電極２と電極３の間に形成されている。よって、電極２と電極３の間の放電空間１５は、反応容器１内の吹き出し口４の上側において、吹き出し口４の長手方向と平行に形成され、しかも、吹き出し口４の幅方向の寸法よりも長く形成されることになる。従って、吹き出し口４の上側（上流側）に広域の放電空間１５が形成されることになって、プラズマ生成用ガスのプラズマ化を効率よく行うことができ、密度の高いプラズマを形成することができるものであり、また、吹き出し口４の全長に亘って均質なプラズマを吹き出すことができるものである。よって、高い密度で均質なプラズマが被処理物に吹き付けられることになって、プラズマ処理の性能を向上させることができ、プラズマ処理を短時間で行うことができるものである。
【００８９】
また、この実施の形態では、反応容器１の下面及び電極２と電極３の側片３２の先端面（下面）を平坦な面に形成し、電極２と電極３の側片３２の先端が反応容器１の下面から突出しないように、反応容器１の下面及び電極２と電極３の側片３２の先端面を面一に形成したので、被処理物を吹き出し口４の近傍にまで近づけることが可能となり、吹き出し口４から大気中に吹き出されたプラズマに含まれている活性の高い生きたプラズマ活性種を消滅させる前に被処理物に吹き付けることができ、プラズマ中の活性種を効率よく利用して被処理物のプラズマ処理を高めることができるものである。尚、吹き出し口４と被処理物の間の距離は、印加条件や被処理物の種類などによって異なるが、２〜１０ｍｍに設定することができる。
【００９０】
図１５（ａ）に他の実施の形態を示す。このプラズマ処理装置では、電気力線ａが沿って形成される反応容器１の片側の側壁１ｂの内面に沿うようにして吹き出し口４を反応容器１の下面に形成したものであり、その他の構成は図１１のものと同様に形成されている。すなわち、図１４及び図１５（ｂ）（ｃ）のプラズマ処理装置では、反応容器１の厚み方向において反応容器１の下面を略二等分する中心線Ｄにほぼ沿って吹き出し口４が長く形成されているが、図１５（ａ）のプラズマ処理装置では電極２と電極３が外面に接触する側壁１ｂの近傍において、反応容器１の下面の端部に吹き出し口４を側壁１ｂの内面に沿って反応容器１の幅方向とほぼ平行な方向に長く形成したものである。また、このプラズマ処理装置では反応容器１の幅方向において反応容器１の下面を略二等分する中心線Ｅを挟んで対向する一対の側壁１ｂ、１ｂのうちの片側の側壁１ｂの近傍にのみに吹き出し口４が形成されている。
【００９１】
上記のように図１４のプラズマ処理装置では、電極２と電極３が反応容器１の側壁１ｂの外面に接触することにより、反応容器１の側壁１ｂの内面に沿った電気力線ａが多く形成されるが、このことで、図１５（ｂ）（ｃ）に示すようにプラズマＰは、反応容器１の中央部よりも反応容器１の側壁１ｂの内面の近傍において集中して生成されて濃度が高くなる傾向にある。従って、図１４及び図１５（ｂ）（ｃ）に示すように、反応容器１の下面において反応容器１の厚み方向の略中央部に吹き出し口４を形成するよりも、図１５（ａ）に示すように、反応容器１の下面において反応容器１の側壁１ｂの近傍で側壁１ｂに沿って吹き出し口４を形成する方が効率よくプラズマＰを吹き出すことができ、プラズマ処理の能力を向上させることができるものである。
【００９２】
図１６に他の実施の形態を示す。このプラズマ処理装置では、電気力線ａが沿って形成される反応容器１の両側の側壁１ｂの内面に沿うようにして吹き出し口４を反応容器１の下面に形成したものであり、その他の構成は図１４のものと同様に形成されている。すなわち、図１４のプラズマ処理装置では、反応容器１の厚み方向において反応容器１の下面を略二等分する中心線Ｄにほぼ沿って吹き出し口４が長く形成されているが、図１６のプラズマ処理装置では電極２と電極３が外面に接触する側壁１ｂの近傍において、反応容器１の下面の端部に吹き出し口４を側壁１ｂの内面に沿って反応容器１の幅方向とほぼ平行な方向に長く形成したものである。また、このプラズマ処理装置では反応容器１の幅方向において反応容器１の下面を略二等分する中心線Ｅを挟んで対向する一対の側壁１ｂ、１ｂの両側の側壁１ｂの近傍に吹き出し口４が形成されている。
【００９３】
上記のように図１４のプラズマ処理装置では反応容器１の側壁１ｂの内面に沿った電気力線ａが多く形成されるが、このことで、図１５（ｂ）（ｃ）に示すようにプラズマＰは、反応容器１の中央部よりも反応容器１の側壁１ｂの内面の近傍において集中して生成されて濃度が高くなる傾向にある。
【００９４】
従って、図１４及び図１５（ｂ）（ｃ）に示すように、反応容器１の下面において反応容器１の厚み方向の略中央部に吹き出し口４を形成するよりも、図１６に示すように、反応容器１の下面において反応容器１の側壁１ｂの近傍で側壁１ｂに沿って吹き出し口４を形成する方が、効率よくプラズマＰを吹き出すことができ、プラズマ処理の能力を向上させることができるものである。しかも、図４（ａ）と同様に、吹き出し口４の下側において、被処理物を吹き出し口４の長手方向と直交する方向に搬送してプラズマ処理を行うことによって、プラズマＰを被処理物に二重（二回）に吹き付けることができ、図１５（ａ）のものに比べて、被処理物の一回の搬送におけるプラズマＰの照射時間が二倍になって、プラズマ処理の能力を向上させることができるものである。尚、この実施の形態においては、図１４や図１５（ａ）のものに比べて吹き出し口４の開口面積が増えるために、プラズマ生成用ガスの流量を増やしてプラズマＰの吹き出しの流速が低下しないようにするのが好ましい。
【００９５】
図１７、１８に他の実施の形態を示す。この実施の形態は図１４のプラズマ処理装置において、電極２と電極３を冷却するものである。つまり、電極２と電極３の内部は冷媒が流通可能な流通部２６として形成されていると共に、電極２と電極３のそれぞれにおいて、一方の側片３２の外面に流通部２６と連通する供給管２１が、他方の側片３２の外面に流通部２６と連通する排出管２２がそれぞれ突設されている。そして、矢印（３）で示すように供給管２１を通じて電極２と電極３の内部の流通部２６に冷媒を供給することによって、プラズマを発生させている間、電極２と電極３を冷却するのである。流通部２６に供給された冷媒は矢印（４）で示すように排出管２２を通じて電極２と電極３から排出される。冷媒としては上記と同様のものを使用することができる。そして、この実施の形態は、電極２と電極３を冷却するので、上記の図５、６に示す実施の形態と同様の効果を奏するものである。
【００９６】
尚、この実施の形態においても、図１５（ａ）に示すように、電気力線ａが沿って形成される反応容器１の片側の側壁１ｂの内面に沿うようにして吹き出し口４を反応容器１の下面に形成したり、図１６に示すように、電気力線ａが沿って形成される反応容器１の両側の側壁１ｂの内面に沿うようにして吹き出し口４を反応容器１の下面に形成したりすることができる。
【００９７】
図１９に他の実施の形態を示す。このプラズマ処理装置は、平坦な平面部７と上側に凸曲する断面が略半円弧状の曲面部８とを備えて半円管状の反応容器１を形成し、平面部７の外面である反応容器１の下面に吹き出し口４を形成し、曲面部８の外面に電極２と電極３を接触させて設けると共に反応容器１の幅方向において電極２と電極３を対向させて配置することによって形成されており、反応容器１の内部において電極２と電極３の間に放電空間１５が形成されている。反応容器１は上記と同様の材料で形成されている。また、反応容器１の幅方向の両端面がガス導入口１６として開口されている。そして、図１９（ｂ）に示すように、反応容器１の下面にはその長手方向（反応容器１の幅方向であって、反応容器１及びプラズマ処理装置の幅方向を矢印Ａで示す）と平行な方向に長くて幅広の吹き出し口４が形成されている。吹き出し口４はスリット状であって、平面部７を貫通して反応容器１の内部の放電空間１５と連通している。
【００９８】
電極２と電極３は同形であって、側面視で下面が開口するＣ字状に形成されている。すなわち、電極２と電極３には下面に開口する挿着凹部３３が形成されている。この挿着凹部３３の内面の寸法は反応容器１の曲面部８の周方向の外形寸法とほぼ同一に形成されている。さらに、電極２と電極３は上記と同様の材料で形成されている。加えて、電極２と電極３の内面（挿着凹部３３を構成する面）は反応容器１の曲面部８の外面と接触する面であって、その内面の算術平均粗さで表した表面粗度は１０〜１０００μｍに設定されている。
【００９９】
そして、反応容器１を挿着凹部３３に下側から差し込むことによって、電極２と電極３を反応容器１の外面の曲面部８に取り付けて接触させ、交流電界を発生させる電源１８を電極２に接続すると共に電極３を接地することによって、図１９（ａ）に示すようなプラズマ処理装置を形成することができる。電極２と電極３の間隔（反応容器１の幅方向における電極２と電極３の間隔）は３〜２０ｍｍに設定するのが好ましい。このように形成されるプラズマ処理装置は、上記の図１に示す実施の形態と同様にしてプラズマ処理を行うことができ、また、図１に示す実施の形態と同様の効果を奏するものである。
【０１００】
さらに、この実施の形態では、反応容器１の下面（平面部７）及び電極２と電極３の先端面（下面）を平坦な面に形成し、電極２と電極３の先端が反応容器１の下面から突出しないように、反応容器１の下面及び電極２と電極３の先端面を面一に形成したので、被処理物を吹き出し口４の近傍にまで近づけることが可能となり、吹き出し口４から大気中に吹き出されたプラズマに含まれている活性の高い生きたプラズマ活性種を消滅させる前に被処理物に吹き付けることができ、プラズマ中の活性種を効率よく利用して被処理物のプラズマ処理を高めることができるものである。尚、吹き出し口４と被処理物の間の距離は、印加条件や被処理物の種類などによって異なるが、２〜１０ｍｍに設定することができる。
【０１０１】
また、この実施の形態では、反応容器１の長手方向の両方の端部にガス導入口１６を形成し、ガス導入口１６を通じて横（反応容器１の長手方向と平行な方向）から反応容器１内にプラズマ生成用ガスを導入するので、反応容器１の長手方向と平行に形成される吹き出し口４の全長に亘って均一にプラズマ生成用ガスを供給することができ、均質なプラズマを効率よく生成することができるものである。よって、高い密度で均質なプラズマが被処理物に吹き付けられることになって、プラズマ処理の性能を向上させることができ、プラズマ処理を短時間で行うことができるものである。
【０１０２】
図２０に他の実施の形態を示す。このプラズマ処理装置では、電気力線ａが沿って形成される反応容器１の曲面部８の内面に沿うようにして吹き出し口４を反応容器１の下面に形成したものであり、その他の構成は図１９のものと同様に形成されている。すなわち、図１９のプラズマ処理装置では、反応容器１の厚み方向において反応容器１の下面を略二等分する中心線Ｄにほぼ沿って吹き出し口４が長く形成されているが、図２０（ａ）のプラズマ処理装置では上記の中心線Ｄの位置よりも曲面部８に近づいた位置で且つ曲面部８の近傍において、反応容器１の下面の端部に吹き出し口４を曲面部８の内面に沿って反応容器１の幅方向に長く形成したものである。また、このプラズマ処理装置では反応容器１の下面において、反応容器１の厚み方向の片側の端部のみに吹き出し口４が形成されている。
【０１０３】
上記のように図１９のプラズマ処理装置では、電極２と電極３が反応容器１の曲面部８の外面に接触することにより、反応容器１の曲面部８の内面に沿った電気力線ａが多く形成されるが、このことで、図２０（ｂ）（ｃ）に示すようにプラズマＰは、反応容器１の厚み方向の中央部よりも反応容器１の曲面部８の内面の近傍において集中して生成されて濃度が高くなる傾向にある。従って、図１９及び図２０（ｃ）に示すように、反応容器１の下面において反応容器１の厚み方向の略中央部に吹き出し口４を形成するよりも、図２０（ａ）に示すように、反応容器１の下面において反応容器１の曲面部８の近傍で曲面部８に沿って吹き出し口４を形成する方が効率よくプラズマＰを吹き出すことができ、プラズマ処理の能力を向上させることができるものである。
【０１０４】
図２１に他の実施の形態を示す。このプラズマ処理装置では、電気力線ａが沿って形成される反応容器１の下面の両側の端部において、曲面部８の内面に沿うようにして吹き出し口４を形成したものであり、その他の構成は図１のものと同様に形成されている。すなわち、図１９のプラズマ処理装置では、反応容器１の下面を反応容器１の厚み方向に略二等分する中心線Ｄにほぼ沿って吹き出し口４が長く形成されているが、図２１のプラズマ処理装置では上記の中心線Ｄの位置よりも曲面部８に近づいた位置で且つ曲面部８の近傍において、反応容器１の下面の端部に吹き出し口４を曲面部８の内面に沿って長く形成したものである。また、このプラズマ処理装置では反応容器１の下面において、反応容器１の厚み方向の両側の端部に吹き出し口４が形成されている。
【０１０５】
上記のように図１９のプラズマ処理装置では電極２と電極３が反応容器１の曲面部８の外面に接触することにより、反応容器１の曲面部８の内面に沿った電気力線ａが多く形成されるが、このことで、図２０（ｃ）に示すようにプラズマＰは、反応容器１の厚み方向の中央部よりも反応容器１の曲面部８の内面の近傍において集中して生成されて濃度が高くなる傾向にある。従って、図１９及び図２０（ｃ）に示すように、反応容器１の下面において反応容器１の厚み方向の略中央部に吹き出し口４を形成するよりも、図２１に示すように、反応容器１の下面において反応容器１の曲面部８の近傍で曲面部８に沿って吹き出し口４を形成する方が、効率よくプラズマＰを吹き出すことができ、プラズマ処理の能力を向上させることができるものである。しかも、図４のものと同様に、吹き出し口４の下側において、被処理物６０を吹き出し口４の長手方向と直交する方向に搬送してプラズマ処理を行うことによって、プラズマＰを被処理物６０に二重（二回）に吹き付けることができ、図２０（ａ）のものに比べて、被処理物６０の一回の搬送におけるプラズマＰの照射時間が二倍になって、プラズマ処理の能力を向上させることができるものである。尚、この実施の形態においては、図１９や図２０（ａ）のものに比べて吹き出し口４の開口面積が増えるために、プラズマ生成用ガスの流量を増やしてプラズマＰの吹き出しの流速が低下しないようにするのが好ましい。
【０１０６】
図２２に他の実施の形態を示す。この実施の形態は図１９のプラズマ処理装置において、電極２と電極３を冷却するものである。つまり、電極２と電極３の内部は冷媒が流通可能な流通部２６として形成されていると共に、電極２と電極３のそれぞれにおいて、一側端の外面に流通部２６と連通する供給管２１が、他側端の外面に流通部２６と連通する排出管２２がそれぞれ突設されている。そして、矢印（３）で示すように供給管２１を通じて電極２と電極３の内部の流通部２６に冷媒を供給することによって、プラズマを発生させている間、電極２と電極３を冷却するのである。流通部２６に供給された冷媒は矢印（４）で示すように排出管２２を通じて電極２と電極３から排出される。冷媒としては上記と同様のものを使用することができる。そして、この実施の形態は、電極２と電極３を冷却するので、上記の図３、４に示す実施の形態と同様の効果を奏するものである。
【０１０７】
尚、この実施の形態においても、図２０（ａ）に示すように、電気力線ａが沿って形成される反応容器１の曲面部８の内面に沿うようにして吹き出し口４を反応容器１の下面の片側の端部に形成したり、図２１に示すように、電気力線ａが沿って形成される反応容器１の曲面部８の内面に沿うようにして吹き出し口４を反応容器１の下面の両側の端部に形成したりすることができる。
【０１０８】
図２３に他の実施の形態を示す。この実施の形態は図２２のプラズマ処理装置において、放電空間１５の体積を減少させるための体積減少具１１を設けたものである。体積減少具１１は両端部が開口する円管で形成されるものであって、一端が反応容器１の一方のガス導入口１６から突出し、他端が反応容器１の他方のガス導入口１６から突出するようにして反応容器１を貫通して配置されている。そして、体積減少具１１は冷媒を流通させることによって、冷却されるものである。すなわち、矢印（５）で示すように体積減少具１１の一方の開口を通じて体積減少具１１の内部に冷媒を供給して流通させることによって、体積減少具１１を冷却するのである。体積減少具１１の内部に供給された冷媒は矢印（６）で示すように他方の開口を通じて排出される。また、体積減少具１１は上記と同様の材料で形成されるものである。
【０１０９】
この体積減少具１１は放電空間１５内に位置するように、ガス導入口１６から反応容器１の内部に挿入されて配置されている。従って、この実施の形態における放電空間１５の体積は、図２２のプラズマ処理装置の放電空間１５よりも減少しており、上記の図７に示す実施の形態と同様の効果を奏するものである。
【０１１０】
尚、この実施の形態においても、図２０（ａ）に示すように、電気力線ａが沿って形成される反応容器１の曲面部８の内面に沿うようにして吹き出し口４を反応容器１の下面の片側の端部に形成したり、図２１に示すように、電気力線ａが沿って形成される反応容器１の曲面部８の内面に沿うようにして吹き出し口４を反応容器１の下面の両側の端部に形成したりすることができる。
【０１１１】
図２４に他の参考形態を示す。このプラズマ処理装置は、反応容器１の外周面の全周に亘って電極２と電極３を接触させて設けると共に電極２と電極３を上下に対向させて配置することによって形成されており、反応容器１の内部において電極２と電極３の間に放電空間１５が形成されている。反応容器１は上記と同様の材料で有底の円筒で形成されている。また、反応容器１の上面はガス導入口１６として略全面に亘って開放されていると共に反応容器１の円形の下面はほぼ平坦な面で形成されている。そして、図２４（ｂ）に示すように、反応容器１の下面には多数個の微小孔９を底面視で円形に並べることによって、微小孔９の集合体で円形の幅広の吹き出し口４が形成されている。各微小孔９は反応容器１の内部の放電空間１５と連通している。この微小孔９の直径は、印加条件や被処理物の種類などによって異なるが、０．５〜２ｍｍに設定することができる。
【０１１２】
電極２と電極３は同形であって、平面視でＯ字状（円形環状）に形成されている。すなわち、電極２と電極３の略中央部には上下に貫通する挿着孔１７が形成されている。この挿着孔１７の大きさは反応容器１の外周寸法とほぼ同一に、また、挿着孔１７の平面視の形状は反応容器１の外周形状とほぼ同一にそれぞれ形成されている。電極２と電極３は上記と同様の材料で形成されている。そして、電極２と電極３を平面視でＯ字状の円形環状に形成することによって、反応容器１の全周に亘って電極２と電極３を配置することができ、電極２及び電極３と反応容器１との接触面積を大きくして接触性を向上させることができ、プラズマの生成が容易になるものである。加えて、電極２と電極３の内面（挿着孔１７を構成する面）は反応容器１の外周と接触する面であって、その内面の算術平均粗さで表した表面粗度は１０〜１０００μｍに設定されている。
【０１１３】
そして、反応容器１を挿着孔１７に差し込むことによって、電極２と電極３を反応容器１の外周に取り付けると共に電極２と電極３の内周面を反応容器１の外周面に接触させるように配置し、交流電界を発生させる電源１８を電極２に接続すると共に電極３を接地することによって、図２４（ａ）に示すようなプラズマ処理装置を形成することができる。ここで、接地される電極３は高電圧が印加される電極２よりも下側に、すなわち、電極３は電極２よりも吹き出し口４の近くに配置されている。また、電極２と電極３の間隔は３〜２０ｍｍに設定するのが好ましい。このように形成されるプラズマ処理装置は、上記の図１に示す実施の形態と同様にしてプラズマ処理を行うことができ、また、図１に示す実施の形態と同様の効果を奏するものである。
【０１１４】
さらに、この参考形態では、微小孔９の集合体で吹き出し口４を形成したので、反応容器１の下面の全周に亘ってスリット状の吹き出し口を形成する場合に比べて、放電空間１５の体積を小さくすることなく吹き出し口４から吹き出されるプラズマの流速を加速することができ、短寿命のラジカルなどの反応性ガス活性粒子が消滅する前に被処理物にプラズマジェットを到達させることができて被処理物のプラズマ処理を効率よく行うことができる。
【０１１５】
図２５に他の参考形態を示す。このプラズマ処理装置では、電気力線ａが沿って形成される反応容器１の内周面に沿うようにして吹き出し口４を反応容器１の下面の略半部の周端部に偏らせて形成したものであり、その他の構成は図２１のものと同様に形成されている。すなわち、図２４のプラズマ処理装置では、反応容器１の内周面の全周に沿って吹き出し口４が形成されているが、図２５のプラズマ処理装置では反応容器１の下面の中心線Ｆを挟んで片側の内周面の近傍にのみに吹き出し口４が形成されている。
【０１１６】
上記のように図２４のプラズマ処理装置では、電極２と電極３が反応容器１の外周面に接触することにより、反応容器１の内周面に沿った電気力線ａが多く形成されるが、このことでプラズマＰは、図３（ｂ）（ｃ）に示すように反応容器１の中央部よりも反応容器１の内周面の近傍において集中して生成されて濃度が高くなる傾向にある。従って、反応容器１の下面において反応容器１の厚み方向の略中央部に吹き出し口４を形成するよりも、図２５に示すように、反応容器１の下面において反応容器１の内周面の近傍で内周面に沿って吹き出し口４を形成する方が効率よくプラズマＰを吹き出すことができ、プラズマ処理の能力を向上させることができるものである。
【０１１７】
図２６に他の参考形態を示す。このプラズマ処理装置では、電気力線ａが沿って形成される反応容器１の内周面に沿うようにして吹き出し口４を反応容器１の下面の略半分の両側の周端部に偏らせて形成したものであり、その他の構成は図２４のものと同様に形成されている。すなわち、図２４のプラズマ処理装置では、反応容器１の内周面の全周に沿って吹き出し口４が形成されているが、図２６のプラズマ処理装置では反応容器１の下面の中心線Ｆを挟んで両側の内周面の近傍に吹き出し口４が形成されている。
【０１１８】
上記のように図２４のプラズマ処理装置では、電極２と電極３が反応容器１の外周面に接触することにより、反応容器１の内周面に沿った電気力線ａが多く形成されるが、このことでプラズマＰは、図３（ｂ）（ｃ）に示すように反応容器１の中央部よりも反応容器１の内周面の近傍において集中して生成されて濃度が高くなる傾向にある。従って、反応容器１の下面において反応容器１の厚み方向の略中央部に吹き出し口４を形成するよりも、図２６に示すように、反応容器１の下面において反応容器１の内周面の近傍で内周面に沿って吹き出し口４を形成する方が効率よくプラズマＰを吹き出すことができ、プラズマ処理の能力を向上させることができるものである。しかも、図４と同様に、吹き出し口４の下側において、被処理物６０を吹き出し口４の長手方向とほぼ直交する方向に搬送してプラズマ処理を行うことによって、プラズマＰを被処理物６０に二重（二回）に吹き付けることができ、図２５のものに比べて、被処理物６０の一回の搬送におけるプラズマＰの照射時間が二倍になって、プラズマ処理の能力を向上させることができるものである。尚、この参考形態においては、図２５のものに比べて吹き出し口４の開口面積が増えるために、プラズマ生成用ガスの流量を増やしてプラズマＰの吹き出しの流速が低下しないようにするのが好ましい。
【０１１９】
図２７、２８に他の参考形態を示す。この参考形態は図２４のプラズマ処理装置において、電極２と電極３を冷却するものである。つまり、電極２と電極３の内部は冷媒が流通可能な流通部２６として形成されていると共に、電極２と電極３の外周面には流通部２６と連通する供給管２１と排出管２２が突設されている。そして、矢印（３）で示すように供給管２１を通じて電極２と電極３の内部の流通部２６に冷媒を供給することによって、プラズマを発生させている間、電極２と電極３を冷却するのである。流通部２６に供給された冷媒は矢印（４）で示すように排出管２２を通じて電極２と電極３から排出される。冷媒としては上記と同様のものを使用することができる。そして、この参考形態は、電極２と電極３を冷却するので、上記の図５、６に示す実施の形態と同様の効果を奏するものである。
【０１２０】
尚、この参考形態においても、図２５に示すように、電気力線ａが沿って形成される反応容器１の内周面に沿うようにして吹き出し口４を反応容器１の下面の片側の周端部に形成したり、図２６に示すように、電気力線ａが沿って形成される反応容器１の内周面に沿うようにして吹き出し口４を反応容器１の下面の両側の周端部に形成したりすることができる。
【０１２１】
図２９に他の参考形態を示す。この参考形態は図２７、２８のプラズマ処理装置において、放電空間１５の体積を減少させるための体積減少具１１を設けたものである。体積減少具１１は図３０に示すように、反応容器１よりも小さく反応容器１の内部形状と略等しい円筒状に形成されるものであって、体積減少具１１の内部には導入管４０が上下方向に長く配設されている。また、導入管４０の上端は導入部２４として体積減少具１１の上面に突出されている。さらに、体積減少具１１の上面には導入部２４の両側において、一対の略Ｌ字状の導出管４１が突設されている。そして、体積減少具１１は上記と同様の冷媒を流通させることによって、冷却されるものである。すなわち、矢印（５）で示すように導入部２４を通じて導入管４０及び体積減少具１１の内部に冷媒を供給して流通させることによって、体積減少具１１を冷却するのである。体積減少具１１に供給された冷媒は矢印（６）で示すように導出管４１を通じて排出される。また、体積減少具１１は上記と同様の材料で形成されるものである。
【０１２２】
この体積減少具１１はその下部が放電空間１５内に位置するように、ガス導入口１６から反応容器１の内部に挿入されて配置されている。従って、この実施の形態における放電空間１５の体積は、図２７、２８のプラズマ処理装置の放電空間１５よりも減少しており、上記の図７に示す実施の形態と同様の効果を奏するものである。
【０１２３】
尚、この参考形態においても、図２５に示すように、電気力線ａが沿って形成される反応容器１の内周面に沿うようにして吹き出し口４を反応容器１の下面の片側の周端部に形成したり、図２６に示すように、電気力線ａが沿って形成される反応容器１の内周面に沿うようにして吹き出し口４を反応容器１の下面の両側の周端部に形成したりすることができる。
【０１２４】
図３１に他の参考形態を示す。このプラズマ処理装置は、反応容器１の外周の全周に亘って電極２と電極３を接触させて設けると共に電極２と電極３を上下に対向させて配置することによって形成されており、反応容器１の内部において電極２と電極３の間に放電空間１５が形成されている。反応容器１は上記と同様の材料で円筒で形成されている。また、反応容器１の上面はガス導入口１６として略全面に亘って開放されていると共に反応容器１の下部は下側ほど厚み方向の寸法が小さくなるように絞り込まれた集束部４５として形成されている。そして、図３１（ｂ）に示すように、反応容器１の集束部４５の下面には反応容器１の幅方向に長い直線状の吹き出し口４が形成されている。吹き出し口４はスリット状に形成されており、反応容器１の内部の放電空間１５と連通している。また、電極２と電極３は図２４に示す参考形態と同様に形成されている。
【０１２５】
そして、反応容器１を電極２と電極３の挿着孔１７に差し込むことによって、電極２と電極３を反応容器１の外周に取り付けると共に電極２と電極３の内周面を反応容器１の外周面に接触させるように配置し、交流電界を発生させる電源１８を電極２に接続すると共に電極３を接地することによって、図３１（ａ）に示すようなプラズマ処理装置を形成することができる。ここで、接地される電極３は電極２よりも下側に、すなわち、電極３は電極２よりも吹き出し口４の近くに配置されている。また、電極２と電極３の間隔は３〜２０ｍｍに設定するのが好ましい。このように形成されるプラズマ処理装置は、上記の図１に示す実施の形態と同様にしてプラズマ処理を行うことができ、また、図１に示す実施の形態と同様の効果を奏するものである。
【０１２６】
さらに、この参考形態では、吹き出し口４が直線状となるように絞り込まれた集束部４５を設けることによって、集束部４５を設けないで反応容器１を真っ直ぐに形成した場合に比べて、放電空間１５の体積を小さくすることなく吹き出し口４から吹き出されるプラズマの流速を集束部４５で加速することができ、短寿命のラジカルなどの反応性ガス活性粒子が消滅する前に被処理物にジェット状のプラズマを到達させることができて被処理物のプラズマ処理を効率よく行うことができる。被処理物の表面のクリーニングに適したプラズマの流速を得るためには、集束部４５の外周面と集束部４５以外の反応容器１の外面との間に形成されるテーパー角が１０〜３０°であることが好ましい。
【０１２７】
図３２、３３に他の参考形態を示す。この実施の形態は図３１のプラズマ処理装置において、電極２と電極３を冷却するものである。つまり、電極２と電極３の内部は冷媒が流通可能な流通部２６として形成されていると共に、電極２と電極３の外周面には流通部２６と連通する供給管２１と排出管２２が突設されている。そして、矢印（３）で示すように供給管２１を通じて電極２と電極３の内部の流通部２６に冷媒を供給することによって、プラズマを発生させている間、電極２と電極３を冷却するのである。流通部２６に供給された冷媒は矢印（４）で示すように排出管２２を通じて電極２と電極３から排出される。冷媒としては上記と同様のものを使用することができる。そして、この参考形態は、電極２と電極３を冷却するので、上記の図５、６に示す実施の形態と同様の効果を奏するものである。
【０１２８】
尚、図３１乃至３３の参考形態においても、図３０の体積減少具１１を用いても良い。
【０１２９】
【実施例】
以下本発明を実施例によって具体的に説明する。
【０１３０】
（実施例１）
図５に示す構造のプラズマ処理装置を形成した。反応容器１としては石英ガラスを用い、幅寸法を６０ｍｍ、厚さ寸法を７ｍｍに形成した。また、吹き出し口４は０．２×５５ｍｍに形成した。上側の電極２と下側の電極３は銅製であって、その内周面の算術平均粗さは１００μｍに形成した。また、電極２と電極３を冷却する冷媒としては純水を用いた。被処理物としては、ネガ型レジストを１μｍ塗布したシリコン基板を使用した。
【０１３１】
プラズマ生成用ガスはヘリウムを１リットル／ｍｉｎ、アルゴンを４リットル／ｍｉｎ、酸素を０．０６リットル／ｍｉｎの割合で混合したものを流して反応容器１に供給した。そして放電空間１５に４００Ｗで１３．５６ＭＨｚの高周波電界を印加してプラズマを発生させ、これを吹き出し口４から幅広にジェット状に吹き出して被処理物の表面に供給してプラズマ処理（レジストのエッチング）を行った。
【０１３２】
この結果、５０ｍｍの幅で約７μｍ／分のエッチング速度が得られ、極めて均一な形状にレジストをエッチングすることができた。また、ＸＰＳ分析の結果、レジスト成分以外の不純物は検出されなかった。
【０１３３】
（実施例２）
図１７に示す構造のプラズマ処理装置を形成した。反応容器１としては石英ガラスを用い、幅寸法を６０ｍｍ、厚さ寸法を５０ｍｍに形成した。また、吹き出し口４は０．２×５５ｍｍに形成した。右側の電極２と左側の電極３は銅製であって、その内周面の算術平均粗さは１００μｍに形成した。また、電極２と電極３を冷却する冷媒としては純水を用いた。被処理物としては、ネガ型レジストを１μｍ塗布したシリコン基板を使用した。
【０１３４】
プラズマ生成用ガスはヘリウムを１リットル／ｍｉｎ、アルゴンを４リットル／ｍｉｎ、酸素を０．０６リットル／ｍｉｎの割合で混合したものを流して反応容器１に供給した。そして放電空間１５に４００Ｗで１３．５６ＭＨｚの高周波電界を印加してプラズマを発生させ、これを吹き出し口４から幅広にジェット状に吹き出して被処理物の表面に供給してプラズマ処理（レジストのエッチング）を行った。
【０１３５】
この結果、５０ｍｍの幅で約５μｍ／分のエッチング速度が得られ、極めて均一な形状にレジストをエッチングすることができた。また、ＸＰＳ分析の結果、レジスト成分以外の不純物は検出されなかった。
【０１３６】
（実施例３）
図２３に示す構造のプラズマ処理装置を形成した。反応容器１としては断面半円弧状の石英ガラス管を用い、外径寸法を２０ｍｍに形成した。また、吹き出し口４は０．２×５５ｍｍに形成した。さらに、反応容器１には外径８ｍｍの石英管を体積減少具１１として挿入した。右側の電極２と左側の電極３は銅製であって、その内周面の算術平均粗さは１００μｍに形成した。また、電極２と電極３と体積減少具１１を冷却する冷媒としては純水を用いた。
【０１３７】
被処理物としては、ＯＭＰＡＣ(Over Molded Pad Array Carrier)型ＢＧＡ(Ball Grid Array)基板を使用した。これは、０．５ｍｍ厚のＢＴ（ビスマレイミドトリアジン）基板（サイズは５０×２００ｍｍ）に、太陽インキ社製のレジスト（ＰＳＲ−４０００ＡＵＳ５）を４０μｍ厚に塗布して形成したものである。また、この被処理物の一部には、ボンディングパッドを含む金メッキ回路が形成されていると共にＩＣチップが搭載されている。このＩＣチップは、プラズマ処理によるチャージアップダメージ（給電時における損傷）を評価するために、シリコン基板の上に厚み１０ｎｍのＳｉＯ2層と厚み３００ｎｍのポリシリコンを形成したものである。
【０１３８】
プラズマ生成用ガスはヘリウムを２リットル／ｍｉｎ、アルゴンを８リットル／ｍｉｎ、酸素を０．２リットル／ｍｉｎの割合で混合したものを流して反応容器１に供給した。そして放電空間１５に５００Ｗで１３．５６ＭＨｚの高周波電界を印加してプラズマを発生させ、これを吹き出し口４から幅広にジェット状に吹き出して被処理物の表面に供給してプラズマ処理（被処理物６の表面の改質処理及びクリーニング処理）を行った。
【０１３９】
この結果、処理の前後でレジスト部分の水の接触角が８０度から８度に低下し、表面の親水性が改善された。また、金メッキ回路のボンディングパッドとＩＣチップとをワイヤボンディングした結果、ワイヤボンディングの強度が処理前では５．１ｇであったのに対して、処理後では８．９ｇに向上し、著しい性能（ワイヤボンディングの強度）の向上が見られた。また、ボンディングパッド部をＸＰＳ分析した結果、表面における炭素原子と金原子の組成比率（Ｃ／Ａｕ）は、処理の前後で約３から約０．５にまで減少しており、ボンディングパッド部の炭素除去が行われていた。このように炭素除去が行われたために、ワイヤボンディングの強度が向上したと考えられる。また、炭素原子と金原子以外の他の不純物は検出されなかった。
【０１４０】
さらに、プラスコン社製の封止樹脂（ＳＭＴ−Ｂ−１）を用いて被処理物の表面に底面積１ｃｍ2のプリン状の封止樹脂を形成し、封止樹脂と被処理物の剪断剥離強度を測定した結果、処理前では２ＭＰａであったのに対して、処理後では１０ＭＰａと大きく強度が向上していた。また、被処理物に搭載したＩＣチップのチャージアップダメージも無かった。
【０１４１】
（参考例１）
図２９に示す構造のプラズマ処理装置Ａを形成した。反応容器１としては石英ガラス管を用い、外径を５８ｍｍ、内寸を５５ｍｍに形成した。上側の電極２と下側の電極３は銅製であって、その内周面の算術平均粗さは１００μｍに形成した。また、反応容器１の内部には体積減少具１１として外径が５０ｍｍのステンレス二重管を挿入して設けた。さらに、電極２と電極３と体積減少具１１を冷却する冷媒としては純水を用いた。
【０１４２】
被処理物としては、アルミナ基板に銀パラジウムペーストをスクリーン印刷し、これを焼き付けしてボンディングパッド部を含む回路を形成したものを使用した。その他の構成は実施例３と同様である。
【０１４３】
プラズマ生成用ガスはヘリウムを２リットル／ｍｉｎ、アルゴンを８リットル／ｍｉｎ、水素を０．１リットル／ｍｉｎの割合で混合したものを流して反応容器１に供給した。そして放電空間１５に５００Ｗで１３．５６ＭＨｚの高周波電界を印加してプラズマを発生させ、これを吹き出し口４から幅広にジェット状に吹き出して被処理物の表面に供給してプラズマ処理（被処理物６の表面の改質処理及びクリーニング処理）を行った。
【０１４４】
ボンディングパッド部をＸＰＳ分析した結果、処理前では酸化銀のピークが確認されたが、処理後にはこのピークは金属銀に変化しており、ボンディングパッド部の酸化銀が減少していた。また、プラズマ処理中に吹き出し口４より５ｍｍ離れた位置でのプラズマの温度を測定した結果、体積減少具８を冷媒で冷却した場合は冷媒で冷却しない場合に比べて、約２００℃低下していた。
【０１４５】
（参考例２）
実施例１において、スリット状の吹き出し口４の代わりに、直径１ｍｍの孔を２ｍｍの間隔で２８個並べ、この孔の集合体を吹き出し口４として形成した。これ以外は実施例１と同様にしてプラズマ処理を行った。
【０１４６】
この結果、５０ｍｍの幅で約７μｍ／分のエッチング速度が得られ、極めて均一な形状にレジストをエッチングすることができた。また、ＸＰＳ分析の結果、レジスト成分以外の不純物は検出されなかった。
【０１４７】
（参考例３）
図１１に示す構造のプラズマ処理装置を形成した。反応容器１としては石英ガラスを用い、幅外寸法を５６ｍｍ、幅内寸法を５４ｍｍ、厚さ外寸法を３ｍｍ、厚さ内寸法を１ｍｍに形成した。また、上側の電極２と下側の電極３は銅製であって、その内周面の算術平均粗さは１００μｍに形成した。また、電極２と電極３を冷却する冷媒としては純水を用いた。被処理物としては、ネガ型レジストを１μｍ塗布したシリコン基板を使用した。
【０１４８】
プラズマ生成用ガスはヘリウムを２リットル／ｍｉｎ、アルゴンを１０リットル／ｍｉｎ、酸素を０．４リットル／ｍｉｎの割合で混合したものを流して反応容器１に供給した。そして放電空間１５に７００Ｗで１３．５６ＭＨｚの高周波電界を印加してプラズマを発生させ、これを吹き出し口４から幅広にジェット状に吹き出して被処理物の表面に供給してプラズマ処理（レジストのエッチング）を行った。
【０１４９】
この結果、５５ｍｍの幅で約１５μｍ／分のエッチング速度が得られ、極めて均一な形状にレジストをエッチングすることができた。また、ＸＰＳ分析の結果、レジスト成分以外の不純物は検出されなかった。
【０１５０】
【発明の効果】
上記のように本発明の請求項１の発明は、絶縁材料で形成される反応容器と、反応容器の外面に接する少なくとも一対の対向する電極とを具備して構成され、反応容器にプラズマ生成用ガスを供給すると共に電極の間に交流電界を印加することにより大気圧下で反応容器内にグロー状の放電を生じさせ、グロー状の放電により反応容器内にプラズマを生成するようにしたプラズマ処理装置において、反応容器の内面に沿った電気力線が形成されるように一対の電極を配置し、幅を持ったジェット状のプラズマを吹き出すための吹き出し口を反応容器に形成するので、反応容器の内面の垂直方向に電気力線が生じにくくなって電気力線による反応容器の劣化を少なくすることができ、反応容器の内面からその構成物質が飛び出しにくくなって被処理物が不純物により汚染されるのを少なくすることができるものであり、しかも、カーテンのような幅を持ったプラズマを吹き出し口から吹き出しながら基板あるいはプラズマ処理装置を吹き出し口の幅方向と直交する方向に移動させて基板の表面全面にプラズマを走査して吹き付けることによって、スポット的なプラズマを吹き出すものに比べて被処理物の広い面積を一度にプラズマ処理することができ、ＢＧＡ基板などの基板の全面を処理する場合に処理時間を短くすることができるものである。
また、吹き出し口をスリット状に形成するので、カーテンのような幅を持ったプラズマを吹き出し口から吹き出しながら基板あるいはプラズマ処理装置を吹き出し口の幅方向と直交する方向に移動させて基板の表面全面にプラズマを走査して吹き付けることによって、スポット的なプラズマを吹き出すものに比べて被処理物の広い面積を一度にプラズマ処理することができ、ＢＧＡ基板などの基板の全面を処理する場合に処理時間を短くすることができるものである。
また、吹き出し口を反応容器の平面部分に形成し、このスリット状の吹き出し口の開口面積を反応容器内部の断面積よりも小さく形成するので、被処理物を吹き出し口の近傍にまで近づけることが可能となり、また、吹き出し口と被処理物の距離を略一定に保つことが容易となり、吹き出し口から大気中に吹き出されたプラズマに含まれている活性の高い生きたプラズマ活性種を消滅させる前に被処理物に吹き付けることができ、プラズマ中の活性種を効率よく利用して被処理物のプラズマ処理を高めることができるものである。
【０１５１】
また本発明の請求項２の発明は、箱状の反応容器の下面に吹き出し口を形成するので、カーテンのような幅を持ったプラズマを反応容器の下面の吹き出し口から下側に吹き出しながら基板あるいはプラズマ処理装置を吹き出し口の幅方向と直交する方向に移動させて基板の表面全面にプラズマを走査して吹き付けることによって、スポット的なプラズマを吹き出すものに比べて被処理物の広い面積を一度にプラズマ処理することができ、ＢＧＡ基板などの基板の全面を処理する場合に処理時間を短くすることができるものである。
【０１５２】
また本発明の請求項３の発明は、一対の電極を上下に対向させて配置するので、一対の電極の間に生成される交流電界の方向（電気力線の方向）とプラズマ生成用ガス及びプラズマの流れ方向とをほぼ一致させることができ、プラズマの活性種を効率よく生成することができるものであり、しかも、一対の電極の間隔を変えることによって、放電空間の大きさを簡単に変えることができ、プラズマの生成量を容易に調整することができるものである。
【０１５３】
また本発明の請求項４の発明は、反応容器を扁平筒状に形成し、反応容器の側壁の対向間隔を幅狭方向へ０．１〜５ｍｍに形成するので、一対の電極の間に形成される放電空間の体積が小さくなって放電空間の単位体積あたりの電力が向上してプラズマ処理の生成効率を向上させることができ、低電力化及び小ガス流量化を図ることができるものである。
【０１５４】
また本発明の請求項５の発明は、電極を平面視でロ字状に形成するので、反応容器の全周に亘って電極を配置することができ、電極と反応容器との接触面積を大きくして接触性を向上させることができ、プラズマの生成が容易になるものである。
【０１５５】
また本発明の請求項６の発明は、接地される一方の電極を高電圧が印加される他方の電極よりも吹き出し口に近づけて配置するので、高電圧が印加される電極が接地される電極よりも被処理物から遠くに位置することになり、高圧となる電極から被処理物にアーク放電が飛びにくくなって、アーク放電による被処理物の破損を防止することができるものである。
【０１５６】
また本発明の請求項７の発明は、吹き出し口の長手方向と平行な方向に長く電極を形成するので、吹き出し口の上側（上流側）に広域の放電空間が形成されることになって、プラズマ生成用ガスのプラズマ化を効率よく行うことができ、密度の高いプラズマを形成することができるものであり、また、吹き出し口の全長に亘って均質なプラズマを吹き出すことができるものである。よって、高い密度で均質なプラズマが被処理物に吹き付けられることになって、プラズマ処理の性能を向上させることができ、プラズマ処理を短時間で行うことができるものである。
【０１５７】
また本発明の請求項８の発明は、電極を側面視で下面が開口するコ字状に形成するので、電極の先端が反応容器の下面から突出しないように、反応容器の下面及び電極の先端面を面一に形成して被処理物を吹き出し口の近傍にまで近づけることが可能となり、吹き出し口から大気中に吹き出されたプラズマに含まれている活性の高い生きたプラズマ活性種を消滅させる前に被処理物に吹き付けることができてプラズマ中の活性種を効率よく利用して被処理物のプラズマ処理を高めることができるものである。
【０１５８】
また本発明の請求項９の発明は、反応容器内でのプラズマ生成用ガスの流れを均一化するためのガス均一化室を設け、前記ガス均一化室は、このガス均一化室に供給されたプラズマ生成用ガスがこのガス均一化室を通過して反応容器内に導入されるように形成されたものであるので、ガス均一化室を通して反応容器にプラズマ生成用ガスを供給することによって、プラズマ生成用ガスが反応容器内の一部分に偏らないように、反応容器内の全体に均一な濃度で供給することができ、均質なプラズマを効率よく生成することができるものである。
【０１５９】
また本発明の請求項１０の発明は、ガス均一化室内に突出する鍔部を反応容器に形成するので、鍔部でプラズマ生成用ガスの撹拌性を高めることができ、より均質なプラズマを効率よく生成することができるものである。
【０１６０】
また本発明の請求項１１の発明は、ガス均一化室に球体を充填するので、ガス均一化室に充填された球体の間の隙間を通して反応容器にプラズマ生成用ガスを供給することによって、プラズマ生成用ガスが反応容器内の一部分に偏らないように、反応容器内の全体により均一な濃度で供給することができ、より均質なプラズマを効率よく生成することができるものである。
【０１６１】
また本発明の請求項１２の発明は、平坦な平面部と断面が半円弧状の曲面部とを備えて反応容器を形成し、平面部に吹き出し口を形成するので、被処理物を吹き出し口の近傍にまで近づけることが可能となり、また、吹き出し口と被処理物の距離を略一定に保つことが容易となり、吹き出し口から大気中に吹き出されたプラズマに含まれている活性の高い生きたプラズマ活性種を消滅させる前に被処理物に吹き付けることができ、プラズマ中の活性種を効率よく利用して被処理物のプラズマ処理を高めることができるものである。
【０１６２】
また本発明の請求項１３の発明は、曲面部に電極を配置するので、反応容器の曲面部の内面の垂直方向に電気力線が生じにくくなって電気力線による反応容器の劣化を少なくすることができ、反応容器の内面からその構成物質が飛び出しにくくなって被処理物が不純物により汚染されるのを少なくすることができるものである。
【０１６３】
また本発明の請求項１４の発明は、電極を半円弧状に形成するので、反応容器の曲面部の全周に亘って電極を配置することができ、電極と反応容器との接触面積を大きくして接触性を向上させることができ、プラズマの生成が容易になるものであり、しかも、反応容器の下面及び電極の先端面を面一に形成して被処理物を吹き出し口の近傍にまで近づけることが可能となり、また、吹き出し口と被処理物の距離を略一定に保つことが容易となり、吹き出し口から大気中に吹き出されたプラズマに含まれている活性の高い生きたプラズマ活性種を消滅させる前に被処理物に吹き付けることができ、プラズマ中の活性種を効率よく利用して被処理物のプラズマ処理を高めることができるものである。
【０１６４】
また本発明の請求項１５の発明は、反応容器の下面を平面部として形成し、プラズマ生成用ガスを反応容器に横から供給するので、吹き出し口の全長に亘って均一にプラズマ生成用ガスを供給することができ、均質なプラズマを効率よく生成することができるものである。よって、高い密度で均質なプラズマが被処理物に吹き付けられることになって、プラズマ処理の性能を向上させることができ、プラズマ処理を短時間で行うことができるものである。
【０１６５】
また本発明の請求項１６の発明は、反応容器を円筒状に形成し、一対の電極を上下に対向させて配置するので、反応容器の内面の垂直方向に電気力線が生じにくくなって電気力線による反応容器の劣化を少なくすることができ、反応容器の内面からその構成物質が飛び出しにくくなって被処理物が不純物により汚染されるのを少なくすることができるものである。
【０１６６】
また本発明の請求項１７の発明は、電極を平面視で環状に形成するので、反応容器の全周に亘って電極を配置することができ、電極と反応容器との接触面積を大きくして接触性を向上させることができ、プラズマの生成が容易になるものである。
【０１６７】
また本発明の請求項１８の発明は、接地される一方の電極を高電圧が印加される他方の電極よりも吹き出し口に近づけて配置するので、高電圧が印加される電極が接地される電極よりも被処理物から遠くに位置することになり、高圧となる電極から被処理物にアーク放電が飛びにくくなって、アーク放電による被処理物の破損を防止することができるものである。
【０１７２】
また本発明の請求項１９の発明は、電気力線が沿って形成される反応容器の内面に沿わせて吹き出し口を形成するので、プラズマが集中して生成されて濃度が高くなる傾向にある反応容器の内面に沿わせて吹き出し口を形成することによって、プラズマを吹き出し口から効率よく吹き出すことができ、プラズマ処理の能力を向上させることができるものである。
【０１７３】
また本発明の請求項２０の発明は、電気力線が沿って形成される反応容器の複数個の内面のそれぞれに沿わせて吹き出し口を形成するので、プラズマが集中して生成されて濃度が高くなる傾向にある反応容器の内面に沿わせて吹き出し口を形成することによって、プラズマを吹き出し口から効率よく吹き出すことができ、プラズマ処理の能力を向上させることができるものであり、しかも、被処理物の複数箇所に一度にプラズマ処理を施すことができ、プラズマ処理の効率を向上させることができるものである。
【０１７４】
また本発明の請求項２１の発明は、少なくとも一方の電極を冷媒で冷却するので、大気圧下で周波数の高い交流でプラズマを生成しても、電極の温度上昇を抑えることができ、よってプラズマの温度（ガス温度）が高くならないようにすることができて被処理物の熱的損傷を少なくすることができるものである。また、電極を冷却することによって、放電空間の局所的な加熱を防ぐことができ、均質なグロー状の放電を生成してストリーマー放電の生成を抑えることができて被処理物のストリーマー放電による損傷をより少なくすることができるものである。
【０１７５】
また本発明の請求項２２の発明は、反応容器内において一対の電極の間に形成される放電空間の体積を減少させるための体積減少具を反応容器内に設けるので、放電空間における単位体積あたりの投入電力（交流電界）を増加させることができ、プラズマの生成の効率を向上させることができるものである。
【０１７６】
また本発明の請求項２３の発明は、体積減少具を絶縁材料で形成するので、体積減少具からスパッタリングや腐食により不純物が生じないようにすることができ、長期間の使用であっても被処理物が不純物より汚染されないようにすることができるものである。
【０１７７】
また本発明の請求項２４の発明は、体積減少具を冷媒で冷却するので、体積減少具の熱による劣化を低減することができ、体積減少具の長寿命化を図ることができるものであり、しかも、体積減少具の周囲の放電空間で生成されるプラズマの温度を低下させることができ、被処理物の熱によるダメージを少なくすることができるものである。
【０１７８】
また本発明の請求項２５の発明は、体積減少具を金属材料で形成すると共に体積減少具を冷媒で冷却するので、体積減少具を絶縁材料で形成する場合に比べて、体積減少具の周囲の放電空間で生成されるプラズマの温度をさらに低下させることができ、被処理物の熱によるダメージをさらに少なくすることができるものである。
【０１７９】
また本発明の請求項２６の発明は、冷媒がイオン交換水であるので、冷媒中に不純物が含まれることがなく、電極と体積減少具が冷媒で腐食されにくくなり、長寿命化を図ることができるものである。
【０１８０】
また本発明の請求項２７の発明は、冷媒が不凍性及び絶縁性を有するので、高電圧が印加される電極からの漏電を防止することができ、プラズマの生成を安定して行うことができるものである。
【０１８１】
また本発明の請求項２８の発明は、一対の電極の間に印加する交流電界の周波数を１ｋＨｚ〜２００ＭＨｚに設定するので、放電空間での放電を安定化させることができ、プラズマ処理を効率よく行うことができるものであり、また、放電空間でのプラズマの温度上昇を抑えて、反応容器や電極や体積減少具の寿命を長くすることができるものであり、しかも、プラズマ処理装置が複雑化及び大型化するのを少なくすることができるものである。
【０１８２】
また本発明の請求項２９の発明は、電極の反応容器と接触する側の表面粗度を１０〜１０００μｍに形成するので、非常に微細なマイクロディスチャージの集合体が形成され、アークへの移行を阻害することができ、放電空間における放電の均一化を図ることができるものである。
【０１８３】
本発明の請求項３０の発明は、請求項１乃至２９のいずれかに記載のプラズマ処理装置の吹き出し口の下方に被処理物を配置し、吹き出し口からプラズマを吹き出して被処理物に供給するので、反応容器の内面の垂直方向に電気力線が生じにくくなって電気力線による反応容器の劣化を少なくすることができ、反応容器の内面からその構成物質が飛び出しにくくなって被処理物が不純物により汚染されるのを少なくすることができるものであり、しかも、カーテンのような幅を持ったプラズマを吹き出し口から吹き出しながら基板あるいはプラズマ処理装置を吹き出し口の幅方向と直交する方向に移動させて基板の表面全面にプラズマを走査して吹き付けることによって、スポット的なプラズマを吹き出すものに比べて被処理物の広い面積を一度にプラズマ処理することができ、ＢＧＡ基板などの基板の全面を処理する場合に処理時間を短くすることができるものである。
【図面の簡単な説明】
【図１】  本発明の実施の形態の一例を示し、（ａ）は斜視図、（ｂ）は底面図である。
【図２】  （ａ）は同上の一部の断面図、（ｂ）は従来例の一部の断面図である。
【図３】  （ａ）は同上の他の実施の形態を示す底面図、（ｂ）は一部の断面図、（ｃ）は図１に示す実施の形態の一部の断面図である。
【図４】  （ａ）は同上の他の実施の形態を示す底面図、（ｂ）は一部の断面図である。
【図５】  同上の他の実施の形態の一例を示す斜視図である。
【図６】  同上の底面図である。
【図７】  同上の他の実施の形態の一例を示す斜視図である。
【図８】  同上の体積減少具の一例を示し、（ａ）は斜視図、（ｂ）は正面図である。
【図９】  同上の体積減少具の種類とクリーニング性能及びプラズマのガス温度の関係を示すグラフである。
【図１０】  同上の参考形態の一例を示し、（ａ）は一部が破断した正面図、（ｂ）は一部が破断した側面図である。
【図１１】  同上の参考形態の一例を示す斜視図である。
【図１２】  同上の反応容器の一例を示し、（ａ）は正面図、（ｂ）は側面図、（ｃ）は底面図である。
【図１３】  図１２（ｂ）におけるア部分を示す断面図である。
【図１４】  同上の他の実施の形態の一例を示し、（ａ）は斜視図、（ｂ）は底面図である。
【図１５】  （ａ）は同上の他の実施の形態を示す底面図、（ｂ）は側面図、（ｃ）は図１４に示す実施の形態の底面図である。
【図１６】  同上の他の実施の形態を示す底面図である。
【図１７】  同上の他の実施の形態の一例を示す斜視図である。
【図１８】  同上の底面図である。
【図１９】  同上の他の実施の形態の一例を示し、（ａ）は斜視図、（ｂ）は底面図である。
【図２０】  （ａ）は同上の他の実施の形態を示す底面図、（ｂ）は図１４に示す実施の形態の斜視図、（ｃ）は図１４に示す実施の形態の底面図である。
【図２１】  同上の他の実施の形態を示す底面図である。
【図２２】  同上の他の実施の形態の一例を示し、（ａ）は正面図、（ｂ）は底面図、（ｃ）は側面図である。
【図２３】  同上の他の実施の形態の一例を示し、（ａ）は正面図、（ｂ）は底面図、（ｃ）は側面図である。
【図２４】  同上の他の参考形態の一例を示し、（ａ）は斜視図、（ｂ）は底面図である。
【図２５】  同上の他の参考形態を示す底面図である。
【図２６】  同上の他の参考形態を示す底面図である。
【図２７】  同上の他の参考形態の一例を示す正面図である。
【図２８】  同上の底面図である。
【図２９】  同上の他の参考形態の一例を示す正面図である。
【図３０】  同上の体積減少具の一例を示す正面図である。
【図３１】  同上の他の参考形態の一例を示し、（ａ）は斜視図、（ｂ）は底面図である。
【図３２】  同上の他の参考形態の一例を示し、（ａ）は正面図、（ｂ）は側面図である。
【図３３】  同上の底面図である。
【符号の説明】
１  反応容器
２  電極
３  電極
４  吹き出し口
５  ガス均一化室
６  球体
７  平面部
８  曲面部
９  微小孔
１１  体積減少具
１５  放電空間
５０  鍔部
ａ  電気力線
【図１】
0004372918.tif 000003
【図２】
0004372918.tif 000004
【図３】
0004372918.tif 000005
【図４】
0004372918.tif 000006
【図５】
0004372918.tif 000007
【図６】
0004372918.tif 000008
【図７】
0004372918.tif 000009
【図８】
0004372918.tif 000010
【図９】
0004372918.tif 000011
【図１０】
0004372918.tif 000012
【図１１】
0004372918.tif 000013
【図１２】
0004372918.tif 000014
【図１３】
0004372918.tif 000015
【図１４】
0004372918.tif 000016
【図１５】
0004372918.tif 000017
【図１６】
0004372918.tif 000018
【図１７】
0004372918.tif 000019
【図１８】
0004372918.tif 000020
【図１９】
0004372918.tif 000021
【図２０】
0004372918.tif 000022
【図２１】
0004372918.tif 000023
【図２２】
0004372918.tif 000024
【図２３】
0004372918.tif 000025
【図２４】
0004372918.tif 000026
【図２５】
0004372918.tif 000027
【図２６】
0004372918.tif 000028
【図２７】
0004372918.tif 000029
【図２８】
0004372918.tif 000030
【図２９】
0004372918.tif 000031
【図３０】
0004372918.tif 000032
【図３１】
0004372918.tif 000033
【図３２】
0004372918.tif 000034
【図３３】
0004372918.tif 000035